(57)【要約】  本明細書は、多機能エステティックシステムであり、ハウジング、ハウジングの中に位置し複数の電磁波（ＥＭＲ）源を有する電磁気アレイであって、各々のＥＭＲ源は別のＥＭＲ源によって生成されたＥＭＲビームと異なる波長を有するＥＭＲビームを生成するように構成され、ＥＭＲビームを処理範囲に方向づけるため２つ以上のＥＭＲ源を操作するためのアレイと電子通信する制御装置、および、フィードバックに応じて、制御装置が多機能のシステムの少なくとも１つの操作条件を調節することを可能にするために、定義されたパラメータに基づいて制御装置へのフィードバックを提供するための制御装置と電子通信するセンサ、を含む。【選択図】図１
2019535427.tif 000002
【特許請求の範囲】
【請求項１】
多機能エステティックシステムであって、多機能エステティックシステムは：
ハウジング；
電磁気アレイシステムであって、ハウジングの中に位置され複数の電磁波（ＥＭＲ）源を有し、各々のＥＭＲ源は別のＥＭＲ源よって生成されたＥＭＲビームと異なる波長を有するＥＭＲビームを生成するように構成される、電磁気アレイ；
制御装置であって、ＥＭＲビームを処理範囲に方向づけるため、２つ以上のＥＭＲ源を操作するためのアレイと電子通信する、制御装置；および、
センサであって、フィードバックに応じて、制御装置が多機能のシステムの少なくとも１つの操作条件を調節することを可能にするために、定義されたパラメータに基づいて制御装置へのフィードバックを提供するための制御装置と電子通信する、センサ、を含む。多機能エステティックシステム。
【請求項２】
ハウジングは持ち運び可能に設計される、請求項１に記載の多機能エステティックシステム。
【請求項３】
ＥＭＲ源によって生成された波長の組み合わせのカスタマイズを提供するために、アレイ内でＥＭＲ源はモジュール式に交換可能である、請求項１に記載の多機能エステティックシステム。
【請求項４】
各々のＥＭＲ源は、赤外線波長、可視光波長または紫外線の波長のうちの１つを有するＥＭＲビームを生成するように構成される、請求項１に記載の多機能エステティックシステム。
【請求項５】
制御装置は、２つ以上のＥＭＲ源からＥＭＲビームを放出するために、２つ以上のＥＭＲ源を同時に、連続的に、または交互パターンで操作するように構成される、請求項１に記載の多機能エステティックシステム。
【請求項６】
制御装置は、治療上許容できる温度で処理範囲を維持するために、少なくとも１つの操作条件を調節するように構成される、請求項１に記載の多機能エステティックシステム。
【請求項７】
制御装置は、処理範囲に当たる冷却気流の流量、処理範囲に当たる冷却気流の温度、処理範囲と冷却気流を処理範囲へ方向づける冷却機器との間の間隔、ＥＭＲビームの出力、処理範囲に対するＥＭＲビームの走査速度、またはその組み合わせの少なくとも１つを調節するように構成される、請求項６に記載の多機能エステティックシステム。
【請求項８】
センサは、温度センサを含み、フィードバックは処理範囲の温度を示す温度データを含み、少なくとも１つの調節された操作条件は放射ＥＭＲビーム出力である、請求項１に記載の多機能エステティックシステム。
【請求項９】
センサは、温度センサを含み、フィードバックは処理範囲の温度を示す温度データを含み、少なくとも１つの調節された操作条件は、処理範囲へ方向づけられた冷却気流の流量である、請求項１に記載の多機能エステティックシステム。
【請求項１０】
センサは、温度センサを含み、フィードバックは処理範囲の温度を示す温度データを含み、少なくとも１つの調節された操作条件は、処理範囲と、冷却気流を処理範囲へ方向づける冷却機器との間の間隔である、請求項１に記載の多機能エステティックシステム。
【請求項１１】
センサは、処理範囲との接触なしに、フィードバックを提供するように構成される、請求項１に記載の多機能エステティックシステム。
【請求項１２】
ＥＭＲを処理範囲に方向づけるＥＭＲ経路をさらに含む、請求項１に記載の多機能エステティックシステム。
【請求項１３】
経路は、２つ以上の異なる波長によって標的範囲の同時照射を可能にするために、２つ以上の光学的に分離された出力ファイバも含む、請求項１２に記載の多機能エステティックシステム。
【請求項１４】
ＥＭＲビームを処理範囲に方向づけるために、経路から受け取ったＥＭＲビームを修正するための経路に光学的に係合された装置、も含む、請求項１２に記載の多機能エステティックシステム。
【請求項１５】
装置は：
ＥＭＲビームを拡大した処理範囲に方向づけるために、ＥＭＲビームを拡大するための光学素子；および、
処理範囲より下の処理領域の表面下でＥＭＲビームの拡大を予防するために、拡大されたビームの焦点を合わせるための、フレネルレンズ、を含む、請求項１４に記載の多機能エステティックシステム。
【請求項１６】
装置は、経路と複数の出力ビームを生成するための装置との間で光学的に係合されたビームスプリッタも含み；複数の出力ビームは装置によって放出され、処理範囲に分かれて衝突し、処理範囲より下の所定の距離で重なり、処理領域の表面下を処理する、請求項１４に記載の多機能エステティックシステム。
【請求項１７】
装置は、複数の出力ビームを生成するためのＥＭＲ経路の複数の光学的に分離する部分に光学的に係合され、複数の出力ビームは装置によって放出され、処理範囲に分かれて衝突し、処理範囲より下の所定の距離で重なり、処理領域の表面下を処理する、請求項１４に記載の多機能エステティックシステム。
【請求項１８】
アレイは、経路の光学的に分離する部分を経由して装置に方向づけられる同じ波長を有するＥＭＲビームを生成するように構成される、少なくとも２つのＥＭＲ源、を含む、請求項１７に記載の多機能エステティックシステム。
【請求項１９】
装置は処理範囲に関連したフィードバックを提供するためのセンサに係合される、請求項１４に記載の多機能エステティックシステム。
【請求項２０】
装置は、ＥＭＲビームを分割せずに処理範囲に冷却気流を方向づけるように構成される、請求項１９に記載の多機能エステティックシステム。
【請求項２１】
装置は、処理範囲にＥＭＲビームを方向づけ、処理範囲に冷却気流を方向づけ、及び処理範囲との接触なしに、処理範囲に関連したセンサフィードバックを提供するように構成される、請求項２０に記載の多機能エステティックシステム。
【請求項２２】
処理範囲にＥＭＲビームを方向づけるように装置を配置するために、ハウジングに第１端部で係合され、装置に第２端部で係合される、機器、も含む、請求項１４に記載の多機能エステティックシステム。
【請求項２３】
機器は、装置を配置するための関節式のアームも含む、請求項２２に記載の多機能エステティックシステム。
【請求項２４】
機器は、処理範囲に対して装置を配置するために、機器の動作を命令すべく、制御装置から信号を受け取るように構成される、請求項２２に記載の多機能エステティックシステム。
【請求項２５】
機器は、センサからの制御装置で受け取ったフィードバックに反応して、制御装置から信号を受け取るように構成され、センサは位置センサを含み、フィードバックは処理範囲に対する装置の位置を示す位置データを含み、少なくとも１つの調整された操作条件は装置の位置である、請求項２４に記載の多機能エステティックシステム。
【請求項２６】
操作中に、ＥＭＲ源、または冷却気流の少なくとも１つを冷やすための、チラー、も含む、請求項１に記載の多機能エステティックシステム。
【請求項２７】
操作中に、ＥＭＲ源の、または冷却気流の別の少なくとも１つを冷やすための、第２チラー、も含む、請求項１に記載の多機能エステティックシステム。
【請求項２８】
多機能システムを使用するエステティック処理の方法であって、方法は：
操作する工程であって、各ＥＭＲ源によって生成されたＥＭＲビームを処理範囲に方向づけるために、ハウジングに位置される電磁気アレイと電子通信する制御装置によって、アレイの２つ以上の電磁放射（ＥＭＲ）源を操作し、各々のＥＭＲ源は別のＥＭＲ源よって生成されたＥＭＲビームと異なる波長を有するＥＭＲビームを生成するように構成される工程；
制御装置と電子通信するセンサによって、定義されたパラメータに基づいて、制御装置へフィードバックを提供する工程；
制御装置によって、フィードバックに応じ多機能システムの少なくとも１つの操作条件を調節する工程、を含む、方法。
【請求項２９】
各々のＥＭＲ源は、赤外線波長、可視光波長または紫外線の波長のうちの１つを有するＥＭＲビームを生成するように構成される、請求項２８に記載の方法。
【請求項３０】
操作する工程は、処理範囲で治療上許容できる温度を維持するために、２つ以上のＥＭＲ源からＥＭＲビームを放出すべく、２つ以上のＥＭＲ源を同時に、連続的に、または交互パターンで操作する工程、も含む、請求項２８に記載の方法。
【請求項３１】
調節する工程は、処理範囲を治療上許容できる温度で維持する工程、も含む、請求項２８に記載の方法。
【請求項３２】
処理範囲を治療上許容できる温度で維持する工程は、処理範囲に当たる冷却気流の流量、処理範囲に当たる冷却気流の温度、処理範囲と処理範囲に冷却気流を方向づける冷却機器との間の間隔、ＥＭＲビームの出力、処理範囲に対するＥＭＲビームの走査速度、またはその組み合わせの、少なくとも１つを調節する工程、を含む、請求項３０に記載の方法。
【請求項３３】
ＥＭＲビームをＥＭＲ経路に沿って処理範囲に方向づける工程、も含む、請求項２８に記載の方法。
【請求項３４】
処理範囲にＥＭＲビームを方向づけるために、経路に光学的に係合された装置のＥＭＲビームを修正する工程、も含む、請求項３３に記載の方法。
【請求項３５】
修正する工程は：
拡大した処理範囲にＥＭＲビームを方向づけるために、装置の光学素子によってＥＭＲビームを拡大する工程；
処理範囲より下の処理領域の表面下でＥＭＲビームの拡大を予防するために、フレネルレンズによる拡大されたビームの焦点合わせる工程、も含む、請求項３４に記載の方法。
【請求項３６】
修正する工程は：
複数の出力ビームを生成するために、経路と装置との間に光学的に係合されたビームスプリッタによるＥＭＲビームを分割する工程；
処理範囲に分かれて衝突し、処理範囲より下の所定の距離で重なり、処理領域の表面下を処理する、装置によって複数の出力ビームを放出する工程、も含む、請求項３４に記載の方法。
【請求項３７】
修正する工程は：
複数の出力ビームを生成するために、ＥＭＲ経路の複数の光学的に分離する部分と装置を光学的に係合する工程；
処理範囲に分かれて衝突し、処理範囲より下の所定の距離で重なるように、処理領域の表面下を処理する、装置によって複数の出力ビームを放出する工程、も含む、請求項３４に記載の方法。
【請求項３８】
経路の光学的に分離する部分により装置に対し、同じ波長を有する少なくとも２つのＥＭＲビームを方向づける工程、も含み、アレイは、各々が同じ波長を有する少なくとも２つのＥＭＲビームを生成するように構成された、少なくとも２つのＥＭＲ源を含む、請求項３７に記載の方法。
【請求項３９】
装置を介して、ＥＭＲビームを分割せずに、冷却気流を処理範囲に方向づける工程、も含む、請求項３４に記載の方法。
【請求項４０】
装置によってＥＭＲビームを処理範囲に方向づける工程、装置を介して冷却気流を処理範囲に方向づける工程、およびセンサによって制御装置へフィードバックを提供する工程は装置またはセンサが処理領域と接触せずに行われる、請求項３９に記載の方法。
【請求項４１】
調節する工程は、制御装置によって、処理範囲に対してＥＭＲビームを位置づけるために、ハウジングに係合された機器の動作を制御する工程、も含む、請求項２８に記載の方法。
【請求項４２】
調節する工程は、フィードバックに応じてＥＭＲビームの位置を変えるために、機器を移動する工程、も含む、請求項４１に記載の方法。
【発明の詳細な説明】
【技術分野】
【０００１】
関連出願
本出願は、２０１７年３月２８日に出願された米国仮特許出願第６２／６０１，６７４号の利益および優先権を主張し、該仮出願は、その全体において引用により本明細書に組み込まれる。本出願もまた、２０１６年１１月２２日に出願された米国仮特許出願第６２／４９７，５３５号の利益をおよび優先権主張し、該仮出願は、その全体において引用により本明細書に組み込まれる。本出願もまた、２０１６年９月２２日に出願された米国仮特許出願第６２／４９７，５３４号の利益をおよび優先権主張し、該仮出願は、その全体において引用により本明細書に組み込まれる。本出願もまた、２０１６年９月２２日に出願された米国仮特許出願第６２／４９７，５２０号の利益をおよび優先権主張し、該仮出願は、その全体において引用により本明細書に組み込まれる。本出願もまた、２０１６年９月２２日に出願された米国仮特許出願第  ６２／４９７，５０３号の利益をおよび優先権主張し、該仮出願は、その全体において引用により本明細書に組み込まれる。本出願もまた、２０１７年９月２２日に出願された米国実用新案出願第  １５／８２０，７３７号の利益および優先権を主張し、該仮出願は、その全体において引用により本明細書に組み込まれる。
【０００２】
本開示は、概してエステティック処理システム、及び特に多機能エステティック処理システムに関する。
【背景技術】
【０００３】
１９７０年代に市販で入手可能になってから、レーザは医療処置に適用されている。概して、エステティックのレーザは、例えば肌の処理およびボディスカルピング等の侵襲性、最小限の侵襲性、および非侵襲性のエステティックの処置に使用される。しかしながら、広範囲の波長および出力レベルの、５０以上の異なる処理プロトコルが普及している。従来より、単一のレーザ・システムは単一の機器へパッケージ化される。したがって、従来より、エステティック従事者は、様々な処置を行なう多くのレーザエスティック処理システムを必要とする場合がある。例えば、ある医者は、例えば、皮膚のアブレーション／ピーリング、しわ減少、色素沈着過剰、酒き、にきび、ほくろ除去、皮膚のトーニング、血管処理、ボディスカルピング、脱毛、入れ墨除去等の、異なる処理プロトコルを必要とする処置を行うために４、５、６、７、１５またはそれ以上のレーザエステティックシステムを必要とする場合がある。
【０００４】
従来のエステティックレーザシステムは、大型の電源及び冷却システムを必要とするため、低効率である。例えば、ある従来のレーザエステティックシステムは大型フラッシュランプ励起レーザを組み込み、しばしば１００ポンド以上の重さになる。ダイオード励起固体レーザはより効率的で幾分小さいが、高価かつメンテナンスの問題がある。ダイレクトダイオードレーザは効率的で低コストの可能性を提供するが、高アンペア電数の必要性、冷却、およびビーム品質の乏しさが、それら適用範囲を限定している。
【発明の概要】
【０００５】
１つの実施形態において、多機能エステティックシステムが提供される。システムはハウジングを含む。システムはまた、ハウジングの中に位置される複数の電磁波（ＥＭＲ）源を有する電磁気のアレイを含み、各々のＥＭＲ源は別のＥＭＲ源よって生成されたＥＭＲビームと異なる波長を有するＥＭＲビームを生成するように構成される。システムは、ＥＭＲビームを処理範囲に方向づけるため、２つ以上のＥＭＲ源を操作するためのアレイと電子通信する制御装置も含む。システムは、フィードバックに応じて、制御装置が多機能システムの少なくとも１つの操作条件を調節することを可能にするために、定義されたパラメータに基づいて制御装置へのフィードバックを提供するための制御装置と電子通信するセンサ、も含む。
【０００６】
幾つかの実施形態において、ハウジングは持ち運び可能に設計される。幾つかの実施形態において、ＥＭＲ源によって生成された波長の組み合わせのカスタマイズを提供するために、アレイ内でＥＭＲ源はモジュール式に交換可能である。幾つかの実施形態において、各々のＥＭＲ源は、赤外線波長、可視光波長または紫外線の波長のうちの１つを有するＥＭＲビームを生成するように構成される。幾つかの実施形態において、制御装置は、２つ以上のＥＭＲ源からＥＭＲビームを放出するために、２つ以上のＥＭＲ源を同時に、連続的に、または交互パターンで操作するように構成される。幾つかの実施形態において、制御装置は、治療上許容できる温度で処理範囲を維持するために、少なくとも１つの操作条件を調節するように構成される。幾つかの実施形態において、制御装置は、処理範囲に当たる冷却気流の流量、処理範囲に当たる冷却気流の温度、冷却気流を処理範囲と処理範囲へ方向づける冷却機器との間の間隔、ＥＭＲビームの出力、処理範囲に対するＥＭＲビームの走査速度、またはその組み合わせの少なくとも１つを調節するように構成される。幾つかの実施形態において、センサは、温度センサを含み、フィードバックは処理範囲の温度を示す温度データを含み、ここで少なくとも１つの調節された操作条件は放出ＥＭＲビーム出力である。幾つかの実施形態において、センサは、温度センサを含み、フィードバックは処理範囲の温度を示す温度データを含み、ここで少なくとも１つの調節された操作条件は、処理範囲へ方向づけられた冷却気流の流量である。幾つかの実施形態において、センサは、温度センサを含み、フィードバックは処理範囲の温度を示す温度データを含み、ここで少なくとも１つの調節された操作条件は、処理範囲と冷却気流を処理範囲へ方向づける冷却機器との間の間隔である。幾つかの実施形態において、センサは、処理範囲との接触なしに、フィードバックを提供するように構成される。
【０００７】
幾つかの実施形態において、システムはＥＭＲを処理範囲に方向づけるＥＭＲ経路も含む。幾つかの実施形態において、経路は、２つ以上の異なる波長によって標的範囲の同時照射を可能にするために、２つ以上の光学的に分離された出力ファイバも含む。幾つかの実施形態において、システムは、ＥＭＲビームを処理範囲に方向づけるために、経路から受け取ったＥＭＲビームを修正するための経路に光学的に係合された装置、も含む。幾つかの実施形態において、装置は、ＥＭＲビームを拡大した処理範囲に方向づけるために、ＥＭＲビームを拡大するための光学素子も含む。幾つかの実施形態において、装置は、処理範囲より下の処理領域の表面下でＥＭＲビームの拡大を予防するために、拡大されたビームの焦点を合わせるための、フレネルレンズも含む。幾つかの実施形態において、装置は、経路と複数の出力ビームを生成するための装置との間で光学的に係合されたビームスプリッタも含み、ここで、複数の出力ビームは装置によって放出され、処理範囲に分かれて衝突し、処理範囲より下の所定の距離で重なり、処理領域の表面下を処理する。幾つかの実施形態において、装置は、複数の出力ビームを生成するためのＥＭＲ経路の複数の光学的に分離する部分に光学的に係合され、ここで、複数の出力ビームは装置によって放出され、処理範囲に分かれて衝突し、処理範囲より下の所定の距離で重なり、処理領域の表面下を処理する。幾つかの実施形態において、アレイは、各々が経路の光学的に分離する部分を経由して装置に方向づけられる同じ波長を有するＥＭＲビームを生成するように構成される、少なくとも２つのＥＭＲ源、も含む。幾つかの実施形態において、装置は処理範囲に関連したフィードバックを提供するためのセンサに係合される。幾つかの実施形態において、装置は、ＥＭＲビームを分割せずに処理範囲に冷却気流を方向づけるように構成される。幾つかの実施形態において、装置は、処理範囲にＥＭＲビームを方向づけ、処理範囲に冷却気流を方向づけ、及び処理範囲との接触なしに、処理範囲に関連したセンサフィードバックを提供するように構成される。幾つかの実施形態において、システムは、処理範囲にＥＭＲビームを方向づけるように装置を配置するために、ハウジングに第１端部で係合され、装置に第２端部で係合される、機器も含む。幾つかの実施形態において、機器は、装置を配置するための関節式のアームも含む。幾つかの実施形態において、機器は、処理範囲に対して装置を配置するために、機器の動作を命令すべく、制御装置から信号を受け取るように構成される。幾つかの実施形態において、機器は、センサからの制御装置で受け取ったフィードバックに反応して、制御装置から信号を受け取るように構成され、ここでセンサは位置センサを含み、フィードバックは処理範囲に対する装置の位置を示す位置データを含み、ここで少なくとも１つの調整された操作条件は装置の位置である。幾つかの実施形態において、システムは、操作中に、ＥＭＲ源、または冷却気流の少なくとも１つを冷やすためのチラーも含む。幾つかの実施形態において、システムは、操作中に、ＥＭＲ源の、または冷却気流の別の少なくとも１つを冷やすための、第２チラー、も含む。
【０００８】
他の実施形態において、多機能システムを使用するエステティック処理の方法が提供される。方法は、操作する工程であって、各ＥＭＲ源によって生成されたＥＭＲビームを処理範囲に方向づけるために、ハウジングに位置される電磁気アレイと電子通信する制御装置によって、アレイの２つ以上の電磁放射（ＥＭＲ）源を操作し、各々のＥＭＲ源は別のＥＭＲ源よって生成されたＥＭＲビームと異なる波長を有するＥＭＲビームを生成するように構成される。方法は、制御装置と電子通信するセンサによって、定義されたパラメータに基づいて、制御装置へフィードバックを提供する工程、も含む。方法は、制御装置によって、フィードバックに応じ多機能システムの少なくとも１つの操作条件を調節する工程も含む。
【０００９】
幾つかの実施形態において、各々のＥＭＲ源は、赤外線波長、可視光波長または紫外線の波長のうちの１つを有するＥＭＲビームを生成するように構成される。幾つかの実施形態において、操作する工程はさらに、処理範囲で治療上許容できる温度を維持するために、２つ以上のＥＭＲ源からＥＭＲビームを放出すべく、２つ以上のＥＭＲ源を同時に、連続的に、または交互パターンで操作する。幾つかの実施形態において、調節する工程は、処理範囲を治療上許容できる温度で維持する工程、もさらに含む。幾つかの実施形態において、処理範囲を治療上許容できる温度で維持する工程は、処理範囲に当たる冷却気流の流量、処理範囲に当たる冷却気流の温度、処理範囲と処理範囲に冷却気流を方向づける冷却機器との間の間隔、ＥＭＲビームの出力、処理範囲に対するＥＭＲビームの走査速度、またはその組み合わせの、少なくとも１つを調節する工程、を含む。
【００１０】
幾つかの実施形態において、方法は、ＥＭＲビームをＥＭＲ経路に沿って処理範囲に方向づける工程、も含む。幾つかの実施形態において、方法は、処理範囲にＥＭＲビームを方向づけるために、経路に光学的に係合された装置のＥＭＲビームを修正する工程、も含む。幾つかの実施形態において、修正する工程は、拡大した処理範囲にＥＭＲビームを方向づけるために、装置の光学素子によってＥＭＲビームを拡大する工程も含む。幾つかの実施形態において、修正する工程は、処理範囲より下の処理領域の表面下でＥＭＲビームの拡大を予防するために、フレネルレンズによる拡大されたビームの焦点合わせる工程、も含む。幾つかの実施形態において、修正する工程は、複数の出力ビームを生成するために、経路と装置との間に光学的に係合されたビームスプリッタによるＥＭＲビームを分割する工程、も含む。幾つかの実施形態において、修正する工程は、処理範囲に分かれて衝突し、処理範囲より下の所定の距離で重なるように、処理領域の表面下を処理する、装置によって複数の出力ビームを放出する工程、も含む。幾つかの実施形態において、修正する工程は、複数の出力ビームを生成するために、ＥＭＲ経路の複数の光学的に分離する部分と装置を光学的に係合する工程、も含む。幾つかの実施形態において、修正する工程は、処理範囲に分かれて衝突し、処理範囲より下の所定の距離で重なるように、処理領域の表面下を処理する、装置によって複数の出力ビームを放出する工程、も含む。
【００１１】
幾つかの実施形態において、方法は、経路の光学的に分離する部分により装置に対し、同じ波長を有する少なくとも２つのＥＭＲビームを方向づける工程も含み、ここで、アレイは、各々が同じ波長を有するＥＭＲを生成するように構成された、少なくとも２つのＥＭＲ源を含む。幾つかの実施形態において、方法は、装置を介して、ＥＭＲビームを分割せずに、冷却気流を処理範囲に方向づける工程、も含む。幾つかの実施形態において、方向づける工程は、装置によってＥＭＲビームを処理範囲に方向づける工程、装置を介して冷却気流を処理範囲に方向づける工程、およびセンサによって制御装置へフィードバックを提供する工程は、装置またはセンサが処理領域と接触せずに行われる。幾つかの実施形態において、調節する工程は、制御装置によって、処理範囲に対してＥＭＲビームを位置づけるために、ハウジングに係合された機器の動作を制御する工程、も含む。幾つかの実施形態において、調節する工程は、フィードバックに応じてＥＭＲビームの位置を変えるために、機器を移動する工程、も含む。
【図面の簡単な説明】
【００１２】
例証的で非制限的な例の実施形態は、添付の図面とともに得られる次の詳細な記載から、より明確に理解されるだろう。
【図１】本発明の実施形態に従った多機能装置を図示するブロックダイアグラムである。
【図２】本発明の実施形態に従った多機能装置の電磁放射線放出構成要素の斜視図である。
【図３】本発明の実施形態に従った多機能装置のビームコンバイナの内部図である。
【図４】本発明の実施形態に従った複数のＥＭＲ駆動体を含む多機能システムの出力、及び制御回路の概略図である。
【図５】本発明の実施形態に従った多機能装置の冷却システムの斜視図である。
【図６】本発明の実施形態に従った多機能装置の冷却マウントの斜視図である。
【図７】本発明の実施形態に従った多機能装置の冷却システムの冷蔵ユニットの斜視図である。
【図８】本発明の実施形態に従った２自由度位置調整機器の斜視図である。
【図９】本発明の実施形態に従った６自由度位置調整機器の斜視図である。
【図１０】本発明の実施形態に従った皮下温度予測システムの概略図である。
【図１１】本発明の実施形態に従った様々なＥＭＲ波長の想定される浸入度を示すヒト組織プロファイルである。
【図１２】本発明の実施形態に従ったスイッチング装置を含む多機能システムの概略図である。
【図１３】本発明の実施形態に従ったスイッチング装置のＦＥＴ回路の概略図である。
【図１４Ａ】本発明の実施形態に従った、２つの分離する出力経路を提供するためのファイバコンバイナの斜視図である。
【図１４Ｂ】本発明の実施形態に従った図１４Ａのファイバコンバイナの詳細図である。
【図１５】本発明の実施形態に従った、分割し、角を成したＥＭＲビームデリバリー送達を有する装置の断面図である。
【図１６Ａ】本発明の実施形態に従ったオプティックスを形作るビームを有する装置の断面図である。
【図１６Ｂ】本発明の実施形態に従った調節可能な光学素子を有する図１６Ａの装置の断面図である。
【図１６Ｃ】本発明の実施形態に従った追加の光学素子を有する図１６Ａの装置の断面図である。
【図１７】本発明の実施形態に従った非接触センサを有する装置の透視図である。
【発明を実施するための形態】
【００１３】
様々な模範的な実施形態は、いくつかの実施例実施形態が示される添付図面に関して、以下に、より完全に記載されるだろう。しかしながら、本開示は、多くの様々な形態で具体化されてもよく、本明細書で説明される例の実施形態に限定されてはならない。むしろ、これらの例の実施形態は、本開示が徹底的でかつ完全なものとなるように提供され、当業者に本開示の範囲を完全に伝えるものである。図面では、層および領域の大きさおよび相対的な大きさは、明瞭さのために強調されてもよい。全体に渡って、同じ数字は同じ要素を指す。
【００１４】
特に定義されていない限り、本明細書で使用されるすべての用語（専門用語および科学用語を含む）は、この開示の概念に属する通常の当業者によって一般的に理解されるものと同じ意味を有する。例えば、ある要素が他の要素と「動作可能に係合される」と言及される場合、上記２つの要素は、１つからもう一方まで電気的および／または光学的な通信が可能なように係合される。
【００１５】
本開示の実施形態は概して多機能エステティックのシステムを提供する。特に、幾つかの実施形態において、本開示のシステムは、少なくとも２つの電磁放射（ＥＭＲ）源、および少なくとも２つの供給源によって放出された電磁放射ビームを組み合わせるためのビームコンバイナを含むことができる。このように、多機能エステティックシステムは、単一出力装置を通って電磁放射の多数の波長を放出することができる。幾つかの実施形態において、多数の波長を同時に、交互パルスで、及び／または連続して放出することができ、多数の処理を同じ多機能エステティックシステムによって行なうことを許可する。幾つかの実施形態において、多数の処理を、連続的に、同時にまたは交互の方法で行うことができる。
【００１６】
本明細書で使用されるように、ＥＭＲは、あらゆる所望の波長を有する電磁放射を参照できる。特に、ＥＭＲは、本開示の実施形態によって生成および／または放出されたＥＭＲは、例えば、可視光線、紫外線、Ｘ線照射、赤外線、マイクロ波放射、電波またはその組み合わせを含む、あらゆる適切な波長になり得る。
【００１７】
ここで図１を参照すると、多機能エステティックシステム（１０）は、単一の医療装置で様々なエステティックの処置を行なうために提供される。システム（１０）は、ハウジング、保持、据え付け、またはシステム（１０）の構成要素を係合するための、ハウジング（１００）を含むことができる。幾つかの実施形態において、ハウジング（１０）は、ハウジング（１００）中に、上に、または共に収容され、保持され、据え付けられ、係合される要素に対して構成的なサポートと保護を提供するためのあらゆる適切な材料で構築され得、それらは例えばプラスチック、ポリマー、金属またはあらゆる他の医療的に準拠した材料を含む。システム（１０）に可動性を与えるために、システム（１０）を、例えば診察室または手術室から他へ、移動することが望ましい程度でハウジング（１００）は１つ以上のホイール（１０５）を含むことができる。出力をシステム（１０）に送ることが必要とされる程度で、ハウジング（１００）は例えば壁付コンセント等のＡＣ電源、と係合するための１本以上の電源コード（１０３）を含むことができる。
【００１８】
幾つかの実施形態において、システム（１０）は、ユーザ入力を受け取るためにハウジング（１００）に据え付けられたユーザインタフェース（１０１）を含むことができる。ユーザインタフェース（１０１）は、例えば、電子ディスプレイ、タッチスクリーンモニター、キーボード、マウス、あらゆる他の装置、またはユーザからの入力を受け取れる装置、あるいはその組み合わせを含むことができる。ユーザ入力は、例えば、身長、体重、肌のタイプ、年齢等の患者のデータも、所望のビーム出力、処置のタイプ、波長または適用される波長、パルス持続時間、処理持続時間、ビームパターン等の処置上のパラメータも含むことができる。
【００１９】
幾つかの実施形態において、システム（１０）はさらに、ユーザインタフェース（１０１）からのユーザ入力を受け取り及び記憶し、ユーザ入力に従った適切な処置プロトコルを記憶し実行し、システム（１０）の様々な構成要素に制御命令を提供し、システム（１０）の様々な構成要素からフィードバックを受け取るための、計算装置（１０７）も含むことができる。計算装置（１０１）は、例えば、ラップトップ、デスクトップ、サーバ、スマートフォン、タブレット、個人用携帯情報端末、あるいはメモリ（１０９）およびプロセッサ（１１１）を有するあらゆる他の適切な計算装置等の、あらゆる適切な計算装置になり得る。メモリ（１０９）は、幾つかの実施形態中において、ユーザ入力データおよびシステム（１０）の１つ以上の構成要素に関連した操作上のデータを含む、電子データを記憶するためのあらゆる適切なメモリ（１０９）になり得る。メモリ（１０９）は、例えば、ランダムアクセスメモリ（ＲＡＭ）、フラッシュメモリ、ソリッドステートメモリ、ハードディスク、非一時的なコンピュータ可読媒体、電子メモリのあらゆる他の形状、またはその組み合わせ、を含むことができる。プロセッサ（１１１）は、幾つかの実施形態において、ユーザインタフェース（１０１）からユーザ入力を受け取り、１つ以上のシステム（１０）の構成要素の操作するためのコマンドを生成し、メモリ（１０９）に記憶されたあらゆるソフトウェアを実行し、或いはその組み合わせを行うための、あらゆる適切なプロセッサになり得る。プロセッサは、幾つかの実施形態において、１つ以上のマイクロプロセッサ、集積回路、特定用途向け集積回路、マイクロコントローラ、フィールドプログラマブルゲートアレイ、あらゆる他の適切な処理装置、またはその組み合わせ、を含むことができる。
【００２０】
図１に示されるように、システム（１０）はさらに、電磁気アレイ（２００）も含むことできる。ここで図２を参照すると、電磁気アレイ（２００）は、複数の電磁放射（ＥＭＲ）源をその上に据え付けるためのマウント（２０１）を含むことができる。例えば、図２に示されるように、マウント（２０１）はその上に据え付けられる複数のレーザ源（２０３）を含む。マウント（２０１）は、幾つかの実施形態において、１つ以上のレーザ源（２０３）をそこに据え付けるための、あらゆるプレート、ハウジング、ブラケット、または他の構造を含むことができる。図２に示されるように、幾つかの実施形態において、マウント（２０１）は、それに取り付けられたレーザ源（２０３）に冷却与える冷却プレートになり得る。例えば、図２によって図示されるように、マウント（２０１）は、マウント（２０１）を通って冷却液の循環を許可するための第１および第２の冷却液ポート（２０１ａ）、（２０１ｂ）を備えることができる。冷却液はその後、マウント（２０１）を冷やすことができ、それによって、マウント（２０１）に据え付けられたレーザ源（２０３）の冷却用のヒートシンクを提供する。
【００２１】
幾つかの実施形態において、各レーザ源（２０３）を特定の波長でＥＭＲを放出するように構成することができる。例えば、幾つかの実施形態において、各レーザ源（２０３）は約２００ｎｍから約４５００ｎｍの間の波長でＥＭＲを放出することができる。しかしながら、様々な実施形態に従って、各レーザ源（２０３）が、あらゆる所望の波長でＥＭＲを放出することができることは、この開示の点から見て明白だろう。さらに、様々な実施形態に従って、レーザ源（２０３）に加えて、あらゆる波長を有する電磁放射のあらゆる他の供給源を使用することができることは、この開示の点から見て明白だろう。例えば、幾つかの実施形態において、システム（２００）のＥＭＲ源は、例えば、可視光、紫外線、Ｘ線照射、赤外線、マイクロ波放射、または電波を含む、あらゆる適切な波長を有する電磁放射を放出することができる。したがって、各レーザ源（２０３）は異なる特別の波長を放出するように構成され得るので、１つのシステム（１０）だけで、性質の違う処理プロトコルの要件を有する複数の処置のいずれか１つに要求される波長または波長の組み合わせでＥＭＲビームを生成することができる。従って、幾つかの実施形態において、例えば、しかし限定されないが、脂肪除去、身体の皮膚のタイトニング、顔のスキンタイトニング、スキンリサーフェーシング、スキンリモデリング、血管縮小または除去、顔の色素除去または縮小、脱毛、ニキビ処理、傷の縮小及び除去、乾癬治療、妊娠線除去、爪水虫治療、白斑治療、入れ墨除去、あるいはその組み合わせを含む、１つ以上の処置を行なうのに適切な波長を放出するレーザ源（２０３）を、システムは含むことができる。
【００２２】
いくつかのエステティックの処置は単一の波長だけを必要とする場合がある。例えば、いくつかの脂肪減少処置においては、肌、表皮および真皮への良好な透過を示し、脂肪細胞内にエネルギーを蓄積するので、脂肪組織の温熱療法において選択される約１０６４ｎｍ（例えば、約４００ｎｍから約３０００ｎｍ、もしくは約９００ｎｍから約１１００ｎｍ）の波長でＥＭＲを放出することが可能であるレーザ源（２０３）が提供される。一方、皮膚のタイトニングは、概して、コラーゲンがある表皮と真皮中へのより高い吸収を示す他の波長を必要とする。したがって、例えば、約１３２０ｎｍの波長（例えば約４００ｎｍから約３０００ｎｍ、もしくは約１３００ｎｍからは約１５００ｎｍ）を、いくつかの皮膚のタイトニング処置に使用することができる。これらのＥＭＲビーム波長は、コラーゲンへより多くのエネルギーを蓄積し、壊死を引き起こし、最終的に新しいコラーゲンの再生から皮膚のタイトニングを引き起こす。
【００２３】
他の例において、いくつかの顔の色素縮小または除去処置、およびいくつかの血管縮小または除去処置等には、例えば、約５３２ｎｍ（例えば約５００ｎｍから約６５０ｎｍ）でＥＭＲを放出することができるレーザ源を提供することができる。
【００２４】
さらに、いくつかのエステティック処置または処置の組み合わせは２つ以上の波長を必要とする場合がある。例えば、上述された脂肪除去および身体の皮膚のタイトニング処置の組み合わせるために、１０６４ｎｍでＥＭＲを放出することができる第１レーザ源（２０３）と１３２０ｎｍでＥＭＲを放射することができる第２レーザ源（２０３）とが提供され得る。他の例において、いくつかの顔のスキンタイトニング処置は、例えば、約１３２０ｎｍ（例えば、４００ｎｍから約３０００ｎｍ、あるいは約１３００ｎｍから約１５００ｎｍ）でＥＭＲを放出することができる第１レーザ源（２０３）と、約１４７０ｎｍ（例えば、約４００ｎｍから約３０００ｎｍ、あるいは約１３００ｎｍから約１５００ｎｍ）でＥＭＲを放出することができる第２レーザ源（２０３）とが提供され得る。
【００２５】
幾つかの実施形態において、追加の機能性およびメンテナンスの容易さの促進をもたらすため、レーザ源（２０３）はレーザ源（２０３）のモジュールの置き換えを許可するようにマウント（２０１）に移動可能に据え付け可能である。したがって、そのようなモジュール構成において、例えば、特定の処置に必要とされるような追加のまたは異なる波長、あるいは波長の組み合わせを提供するために、個々のレーザ源（２０３）は置き換えられる。しかしながら、幾つかの実施形態において、レーザ源（２０３）をマウント（２０１）に恒久的に取り付けることができるのは、この開示の点から見て明白だろう。
【００２６】
レーザ源（２０３）は、幾つかの実施形態において、１つ以上のファイバ結合レーザを含むことができる。例えば、様々な実施形態に従って、レーザ源（２０３）は１つ以上のファイバ結合ダイオードレーザおよび／またはＥｒ：ＹＡＧ、Ｅｒ，Ｃｒ：ＹＳＧＧ、Ｎｄ：ＹＡＧ、Ｎｄ：ｇｌａｓｓ；Ｅｒ：ｇｌａｓｓ等のフラッシュランプまたはダイオード励起レーザ、或いはあらゆる他の適切なファイバ結合ＥＭＲ源等を含むことができる。幾つかの実施形態において、ファイバ結合レーザ源（２０３）は、５０Ｗ、１００Ｗ等で動作する連続波（ＣＷ）機器と見なされる。そのようなＣＷ機器は、パルスエネルギーがパルス持続時間と力との積と等しいゲーテッドモードで操作可能である。したがって、５ミリ秒で動作するためにゲートされた１００Ｗのダイオードレーザは、５００ｍＪのパルスエネルギーを有する。より多くのパルスエネルギーが必要とされるが、例えば、電源または冷却能力が平均出力を制限する場合、ファイバ結合レーザ源（２０３）は、準ＣＷ機器として構成され得る。そのような準ＣＷの機器は、より低いパルス周波数率で操作することによって、同じ平均消費電力のための高出力パルスを生成することができる。幾つかの実施形態において、準ＣＷの機器は、平均消費電力の最高で１０倍を有するパルスを生成することができる。したがって、例えば、１０００Ｗ／１００Ｗの準ＣＷダイオードはパルス当たり５ジュールと５ミリ秒でパルス化運転することができるだろうが、ＣＷレーザのパルス周波数の１０分の１に制限されるだろう。
【００２７】
幾つかの実施形態において、レーザ源（２０３）の少なくとも１つはファイバ結合ダイオードレーザを含むことができる。そのようなレーザ・システムは、５０％を超過する効率で有利に動作でき、サイズは比較的小さく、比較的低電力消費で、広い波長多様性を示す。１０ｋＷ以上の出力を生成するために、ファイバ結合ダイオードレーザは、例えば、２．０ボルト未満のＤＣによって駆動可能である。さらに、そのようなレーザ源（２０３）は、モジュールが１ｋＷ当たり約５００グラムの重さでありながら、小型かつ軽量になることができる。１つの実施形態において、レーザ源（２０３）の少なくとも１つは、約８×４×３ｃｍ（１００ｃｍ３未満）のサイズを有する７５Ｗのファイバ結合ダイオードになり得る。幾つかの実施形態において、そのようなレーザ源（２０３）は、１００ワット未満の出力を消費する間に、エステティック処置を行なうために使用され得る。そのような省電力化は、幾つかの実施形態において、必要とされる冷却の量を減少させ、さらに小さく、さらに静かで、より効率的な冷却システムを許可する。
【００２８】
対象となるほぼ全てのダイオードのためのコンプライアンス電圧は２．０ＶＤＣやや未満である。バイアス電圧構成をパッケージ化し、異ならせることは、低駆動電流を後に可能にする一般的な高電圧をもたらすように適応される。例えば、２．０ＶＤＣで駆動される典型的な５０Ｗのダイオードは、８アンペアから１２アンペアの最小しきい値電流を必要とする可能性があり、および所望の出力レベルを生成するために６０から７０アンペア以上を必要とし得る。電圧降下を回避するため、システム信頼性を維持するため、そしてジュール加熱を最小化するために、そのような高い電流は、＃６または＃８のゲージワイヤなどのヘビーゲージワイヤリングを要する。必要とされる電流供給およびワイヤリングのサイズを減らすために、幾つかの実施形態において、選択されたレーザおよび必要とされる出力と一致するように駆動電流を制御しながら、各ファイバ結合ダイオードレーザ源（２０３）のダイオードは、例えば、２０ＶＤＣまたは２５ＶＤＣなどの、一般的なコンプライアンス電圧で動作するように構成され得る。一般的なコンプライアンス電圧を２０または２５ＶＤＣに増加させることによって、各レーザ源（２０３）を操作するのに必要な最大の駆動電流は、ほとんどのエステティック処置では、約１０アンペア以下に制限され得る。必要な電流を減らすことによって、より小さいゲージワイヤリングが信頼性を向上させるために使用され得る。幾つかの実施形態において、そのようなアプローチは、単一の電源の使用を許可し、多数のＥＭＲ源との接続部へ電源をマニホールドすることによってレーザ源（２０３）の１つ以上を駆動する。したがって、例えば、１度に１つだけのレーザが操作される一つの実施例において、その後システム（１０）は電源を１つだけ備える場合がある。
【００２９】
典型的なパッケージ化されるダイオードは、しきい値電流が８から１２アンペア数範囲である、約２．０ＶＤのＣコンプライアンス電圧で半導体バーを用いる。著しい出力レベルに達するために、そのようなダイオードは、７０アンペアと同じ位の高さで動作できる。
これらの電圧降下およびジュール熱（Ｉ２＊Ｒ）に関連する問題は、信頼性懸念に追加される。しかしながら、部分的なダイオードバー（すなわち規格２．０ＶＤＣのダイオードバーより短い長さを有するダイオードバー）は典型的に、バーの断片に比例したより低い電流を必要とする。したがって、一列に接続される部分的なダイオードバーを使用すること、部分的なダイオードの各々を作動するために、低電流だが高電圧で電流が送達されることによって、出力が保たれる間に、必要な電流を減らすことができる。
【００３０】
幾つかの実施形態において、レーザ源（２０３）の少なくとも１つはフラッシュランプまたはダイオード励起レーザを含むことができる。例えば、多くのエステティックの皮膚処理は、約３０００ｎｍの波長、例えば２５００ｎｍを超える波長など、を有するＥＭＲの適用を必要とする。そのような波長は典型的に、約２９４０ｎｍの波長を有するＥＭＲを生成するＥｒ：ＹＡＧ、または約２７９０ｎｍの波長を有するＥＭＲを生成するＥｒ：ＹＳＧＧ等の、フラッシュランプまたはダイオード励起固体レーザ装置によって生成される。しかしながら、ファイバ結合ダイオードレーザ、およびフラッシュランプまたはダイオード励起レーザを参照して本明細書に示され記載されたが、様々な実施形態に従って、光ファイバ出力部ケーブルに結合されることが可能なＥＭＲ源のあらゆる適切なタイプが使用され得ることは、この開示の点から見て明白だろう。幾つかの実施形態において、ファイバ結合ダイオードレーザを参照して上記で説明されるように、フラッシュランプまたはダイオード励起固体レーザ装置を含むレーザ源（２０３）はさらに、一般的なコンプライアンス電圧で動作するように構成され得る。したがって、いくつかの実施形態において、ファイバ結合ダイオードレーザを参照して上述されるように、システム（１０）は、一般的な電源を使用することができる。
【００３１】
なお図２を参照すると、それぞれのレーザ源（２０３）によって放出されたＥＭＲ（“ＥＭＲエネルギー”または“ビーム”とも呼ばれる）を送るまたは伝達するために、電磁気アレイ（２００）はさらに、各レーザ源（２０３）に結合された光ファイバ中継ケーブル（２０５）も含むことができる。概して、各光ファイバ中継ケーブル（２０５）は、各それぞれのレーザ源（２０３）によって放出された波長を有するＥＭＲを送ることができる、あらゆる光ファイバの材料で構築され得る。幾つかの実施形態において、各光ファイバ中継ケーブル（２０５）は、例えば、約２００ｎｍから約２４００ｎｍの範囲で波長を送る低ＯＨシリカファイバコアケーブル、約２８５ｎｍから約４５００ｎｍの範囲で波長を送るジルコニウム・フッ化物（ＺｒＦ４）および／または高純度カルコゲナイド・ガラス・ケーブル、あるいは約１７０ｎｍから約５５００ｎｍの範囲で波長を送るサファイア・ケーブルで構築され得る。
【００３２】
幾つかの実施形態において、光ファイバ中継ケーブル（２０５）を、光ファイバコネクター、例えば、ＳＭＡ９０５コネクタまたはあらゆる他の適切なコネクタ等により、レーザ源（２０３）に嵌合することができる。光ファイバ中継ケーブルの各々では、ファイバコア直径を、ダイオードドライバのカップリング効率および必要な出力によって決定することができる。例えば、ＣＷ操作において、１つの実施形態では、近赤外線波長の範囲に対して、信頼性のある中継をもたらすために、コア直径を約１．４ｍＷ／ｃｍ２のケーブルのエネルギー密度の限界によって決めることができる。ファイバにおけるこの信頼性の限界は、１００ミクロンのコア直径が８５Ｗまで扱うことができ４００ミクロンのコア直径は１３００Ｗまで使用され得ることを示唆している。更に短い波長を典型的には、より低い出力の限界に合わせて調節する。さらに、パルス持続時間が１マイクロセカンド（１×１０−６セカンド）未満であるパルス運転について、ファイバの損傷は、熱ではなく誘電破壊によって引き起こされ、パルス持続時間に比例したより低レベルで生じる。すなわち、平均出力はファイバの過熱を防ぐのに十分に低いが、１マイクロセカンド未満のパルス持続時間中に送達された出力は、ファイバの誘電材料の破壊を引き起こし得る。更に概して、適切なファイバコア直径、および最大で予想される出力負荷を扱うことができるコネクタの選択により、レーザ源（２０３）によって生成されるＥＭＲ出力の安全かつ信頼性のあるルーティングが可能になる。
【００３３】
なお図２を参照すると、システムはさらに、各レーザ源（２０３）によって生成され、各中継ケーブル（２０５）によって単一の出力へ送られるＥＭＲビームを組み合わせるための、ビームコンバイナ（２０７）も含むことができる。概して、ビームコンバイナ（２０７）は、１つの出力へ異なる波長のいくつかのＥＭＲビームを組み合わせることができるあらゆる装置またはシステムであり得る。例えば、幾つかの実施形態において、ビームコンバイナは、例えば、ファイバスイッチング装置、フリースペース（ｆｒｅｅ−ｓｐａｃｅ）ファイバコンバイナ、突合せ結合したコンバイナ、テーパファイバ、バンドルファイバ、及び融着ファイバを含むことができる。
【００３４】
例えば、分かれたビームを１つのファイバに収めるために、フリースペースコンバイナはミラーおよびグレーティングとパッケージ化され得る。突合せ結合したファイバコンバイナは更に大きなコア出力ケーブルへ更に小さなコアファイバを嵌合することができる。突合せ結合したファイバコンバイナについて、より小さいファイバはそれらの被覆材を剥がれ、可能な限り互いに近く、例えば環状フットプリントでパッケージ化される。磨かれたファイバの端部を、多数のファイバフットプリントより大きな直径の更に大きいファイバコアに嵌合（突合せ結合）することができる。テーパファイバは組み合わされたファイバのコア直径を縮小するために使用可能である。すなわち、ファイバの結合においてより高いパッケージ化密度を許可するために各テーパファイバの直径を縮小させるように、テーパファイバは拡張可能である。融着するファイバは、ファイバを剥いでそれらを密に詰めて断面に束ねることで、多数のファイバを一緒に嵌合するのに使用可能である。ファイバは、その後、単一の出力ファイバに融着するために熱し溶解され得る。束されたファイバケーブルはさらに、多数の供給源を１つの出力経路にルーティングするのに使用可能である。結束されたファイバは、概して、ケーブル内で密に詰まった多くの小さい個々のファイバから形成される更に大きな直径のファイバケーブルであり得る。
【００３５】
さらに、図３に図示されるように、幾つかの実施形態において、ビームコンバイナ（２０７）は、ＮＡＳＡ  ＳＢＩＲプログラム０５−ＩＩ  Ｓ６．０２−８６１９の下でｎＬｉｇｈｔ  Ｃｏｒｐｏｒａｔｉｏｎのために作られた装置等の、高光度／低コストのファイバカップリングパッケージ（ｆｉｂｅｒ  ｃｏｕｐｌｉｎｇ  ｐａｃｋａｇｅ）を含むことができる。装置は、全て単一のコアファイバ出力部ポート（３０５）へ結合される、多数のダイオード（３０１）を含むことができる。ビーム集光（３０３）は、の個々のダイオード（３０１）の出力の各々が共通の光学経路へ集中するように構成可能である。ビームコンバイナは、その後、集中した出力を出力ポート（３０５）（例えばＳＭＡ  ９０５コネクタ）へルーティングすることができる。ビームコンバイナ（２０７）は、幾つかの実施形態において、小さいワットから１０ｋＷ以上に範囲されるビーム出力のために、種々のビーム波長を組み合わせるように構成され得る。
【００３６】
そのような実施形態中で、所望の波長を生成するレーザ源（２０３）だけがあらゆる時に作動されるため、ビームコンバイナ（２０７）はアクティブファイバスイッチ（ａｃｔｉｖｅ  ｆｉｂｅｒ  ｓｗｉｔｃｈ）よりむしろ、パッシブデバイスになり得る。パッシブデバイスを有することは、ファイバの出力の限界を定義するのに役立ち、ここでファイバのワットの限界は、各レーザ源（２０３）の合計よりむしろ、一度に単一のレーザ源（２０３）が稼働する場合の利用可能なレーザ源（２０３）の最も高い出力と一致し得る。多数のレーザ源（２０３）が同時に作動される程度まで、組み合わされたファイバの出力の限界は、少なくとも各レーザ源（２０３）を操作するために必要な出力の合計と同等でなければならない。あるいは、幾つかの実施形態において、ビームコンバイナ（２０７）は特定の波長を選択的に出力するために、１つ以上のファイバスイッチを含むことができる。
【００３７】
ビームコンバイナ（２０７）に組み合わされたＥＭＲ（また“処理エネルギー”または“ビーム”とも呼ばれる）を送るまたは伝達するために、ビームコンバイナ（２０７）は、その後、ビームコンバイナ（２０７）に結合された共通の出力ケーブル（２０９）に、組み合わされたビームを出力することができる。有利には、共通の出力ケーブル（２０９）は、レーザ源（２０３）によって生成された異なるビームが、単一の光学的装置を通って放出されることを許可する。特に、ビームコンバイナ（２０７）のビームを共通の出力ケーブル（２０９）に組み合わせる或いは方向づけることによって、システム（１０）の単一の光学的装置は異なる波長のビームを同時に、連続的に、または交互のパルス化されたパターンで放出することができる。したがって、有利には、幾つかの実施形態において、２つ以上の処理処置を同時に、同時期にまたは直ちに連続して行うことができ、患者への結果を向上し、多くの患者の経過後の処置を軽減する。
【００３８】
幾つかの実施形態において、光ファイバ出力部ケーブル（２０９）は、制限されないが、光ファイバ中継ケーブル（２０５）に実質上、類似する場合がある。更に概して、光ファイバ出力部ケーブル（２０９）は、ビームコンバイナ（２０７）によって放出された組み合わされたビームを光ファイバ出力部に送ることができる、あらゆる光ファイバケーブルになり得る。様々な実施形態に従って、異なる波長を有する２つ以上の別個のビームを別々に送るために、出力ケーブル（２０９）は、単一のファイバとして形成され得、複数の更に小さなバンドルファイバとして形成され得、或いは２つ以上の密に詰まった個々のファイバとして形成され得る。
【００３９】
更に概して、中継ケーブル（２０５）及び出力ケーブル（２０９）は光ファイバケーブルとして本明細書に示されるが、１つ以上のＥＭＲ源からビームコンバイナ（２０７）まで、そしてビームコンバイナ（２０７）から処理領域までＥＭＲを方向づけるまたは透過することが可能なあらゆる光学的経路が、様々な実施形態に従って使用され得ることは、この開示の点から見て明白だろう。例えば、幾つかの実施形態において、ＥＭＲビームを方向づけるために、経路を一連のミラーから構築することができる。
【００４０】
例えば、図１４Ａの中で示されるように、２つの別個のＥＭＲ源から単一の送達装置（例えば、ハンドピース、ロボット型の頭、ビームを形成するオプティックス）（１４０３）まで２つの分離したビームをルーティングするため、２つの個々のファイバコア（１４０１ａ）、（１４０１ｂ）は共通の出力ケーブル（２０９）を形成するために結合され得、ビームを各アクティブレーザ源（２０３）から単一の出力ファイバコネクター（２１１）へ方向づける。ここで図１４Ｂを参照すると、共通の出力ケーブル（２０９）のファイバコア（１４０１ａ）、（１４０１ｂ）は隣接し、１つの以上のビーム形成構成要素（１４０３）の光軸の中心近くに位置付けられるため、ビーム形成構成要素（１４０３）はＥＭＲビーム出力を、どちらかまたは両方のレーザ源（２０３）から正確な光軸からの少しだけ隅角偏位して生成することができ、上記偏位はビーム形状及び方向に対し些少な影響を有する。
【００４１】
幾つかの実施形態において、光ファイバ出力部ケーブル（２０９）は、ハンドピース、ロボット型の頭、または他のエミッターなどの装置と係合するために、その１つの端部に位置した嵌め込み（２１１）も含むことができる。
【００４２】
図１に示されるように、幾つかの実施形態において、システム（１０）はシステム（１０）の様々な構成要素に出力を供給するおよび制御するための出力及び制御電子回路（４００）を含むことができる。ここで図４を参照すると、幾つかの実施形態において、システム（１０）の操作で求められるように、出力及び制御電子回路（４００）は、電源コード（１０３）からＡＣ出力を受け取って、ＡＣ出力を様々な構成要素に配分するためのスイッチ及び出力ボックス（４０１）を含むことができる。
【００４３】
出力及び制御電子回路（４００）は、エステティックの処置を実行する１つ以上の対象とされた操作を行なうために、システム（４００）の１つ以上の追加の構成要素に命じるべく計算装置（１０７）と電子通信する、ＡＣ出力によって出力が供給された制御装置（４０３）も含むことができる。
【００４４】
出力及び制御電子回路（４００）の１つ以上の追加の構成要素を操作するために、出力及び制御電子回路（４００）は、出力ボックス（４０１）からのＡＣ出力を低電圧ＤＣ出力に変換するための、低電圧ＡＤＣ（４０５）も含むことができる。低電圧ＡＤＣ（４０５）は、例えば、直接変換ＡＤＣ、逐次比較型ＡＤＣ、ランプコンペアＡＤＣ、ウィルキンソン型ＡＤＣ、集積ＡＤＣ、デルタ符号化ＡＤＣ、パイプラインＡＤＣ、シグマデルタＡＤＣ、タイムインターリーブＡＤＣ、中間ＦＭ段階ＡＤＣ、あらゆる他の適切なＡＤＣ、またはその組み合わせを含む、あらゆる適切なＡＤＣを含むことができる。
【００４５】
出力及び制御電子回路（４００）の１つ以上の追加の構成要素を操作するために、システムは、出力ボックス（４０１）からのＡＣ出力を高電圧ＤＣ出力に変換するための高電圧ＡＤＣ（４０７）も含むことができる。高電圧ＡＤＣ（４０７）は、例えば、直接変換ＡＤＣ、逐次比較型ＡＤＣ、ランプコンペアＡＤＣ、ウィルキンソン型ＡＤＣ、集積ＡＤＣ、デルタ符号化ＡＤＣ、パイプラインＡＤＣ、シグマデルタＡＤＣ、タイムインターリーブＡＤＣ、中間ＦＭ段階ＡＤＣ、あらゆる他の適切なＡＤＣ、またはその組み合わせを含む、あらゆる適切なＡＤＣを含むことができる。
【００４６】
出力及び制御電子回路（４００）は、レーザ源（２０３）に駆動電流を送達するために、複数のダイオードドライバ（４０９）も含むことができる。ダイオードドライバ（４０９）は、幾つかの実施形態において、例えば、ｎ型半導体及びｐ型半導体との間の接合点の領域を通って高い電流を渡すように構成された半導体デバイスにもなり得る。そのような構成において、ＤＣ電源（４０７）などの電流源の存在下でｎ型半導体によって生成された電子は、ｐ型半導体の穴とぶつかった際に光子の生成をもたらすことができる。光子は接合点領域内で振れることができ、接合点領域における光学的利得をもたらす。半導体デバイスに送達された電流がしきい値電流を超過する場合、光学的利得はしきい値強度を超過し、レーザ光線のビームとして光子を接合点領域から出るようにする。概して、しきい値電流に達した後、入力電流の増加に比例して、レーザ出力は出力密度（強度）で直線的に増加する。さらに、幾つかの実施形態において、ダイオードドライバ（４０９）は、出力入力を制御するためのレギュレータと、例えば、逆電流ブロッキング及び電気スパイク抑制機能などの、１つ以上の保護機能も含むことができる。
【００４７】
幾つかの実施形態において、各ドライバ（４０９）／レーザ源（２０３）ペアに必要なコンプライアンス電圧が同じで、選ばれたダイオードドライバの制限内である場合、単一のＤＣ電源（４０７）は多数のダイオードドライバのために使用され得る。同時に駆動されたドライバ（４０９）／レーザ源（２０３）ペアの数を操作するＤＣ電源（４０７）の十分な電流容量が必要とされる。有利には、特別なスイッチングは、ＤＣ電源（４０７）とドライバ（４０９）、またはドライバ（４０９）およびレーザ源（２０３）との間で必要とされない。ＤＣ電源（４０７）は、幾つかの実施形態において、各ドライバ（４０９）に並列接続され得る。これは、多数のレーザ源（２０３）に対して主電源を多重化するオプションを提示する。
【００４８】
図２に関して上記で説明されるように、そのような実施形態において、ダイオードドライバ（４０９）の各々は、作動された際、単一のレーザ源（２０３）を直接的に駆動することができ、特定の波長を有するビームを生成する。したがって、幾つかの実施形態において、１つのドライバ（４０９）／レーザ源（２０３）ペアは、処理に単一の波長ＥＭＲビームを必要とするエステティック処置ために、作動され得る。あるいは、幾つかの実施形態において、多数のドライバ（４０９）／レーザ源（２０３）ペアはどれも、同時に、連続してまたはパルス化されたパターンで作動され、特定の処理に必要とされる２つ以上の波長を提供する、及び／または処理を組み合わせる或いは早める。
【００４９】
図１を再び参照すると、電磁気アレイ（２００）及び出力及び制御電子回路（４００）によって生成された熱を取り除くため、および処置中に患者の皮膚を冷却すべく冷たい空気を送るため、システム（１０）は１つ以上の冷却装置（５００）も含むことができる。概して、冷却の必要条件は本来、電磁気アレイ（２００）によって生成された熱に左右される。例えば、約５０％の効率で小さなパッケージ化の１００ＷのＥＭＲ源を操作するシステムについて、冷却能力は２００ワットと同じ位低い。
【００５０】
そのような熱は典型的に、１つ以上の強制空気（例えばファン）冷却、熱電気冷却、電磁気アレイ（２００）を直接通って流れる冷却液、または冷却板によって放散される。しかしながら、概して、強制空気冷却はうるさくて効率的でなく、熱電気冷却機は比較的効率性が乏しいため、ヒートシンクでの過度の熱放散が求められる。他の装置は循環する冷却液を電磁気アレイ（２００）に直接用い、これはメンテナンスを困難にし、敏感なオプティックス、半導体、および高電流の非常に近くに循環する流体を置く。対照的に、冷却板に対するベースプレート冷却は効率的で、安全で、静かで、コンパクトである。大きな冷却板は多数のＥＭＲ源ヘッドに適応することができ、電子機器を駆動することができる。幾つかの実施形態において、いくつかの冷却板を直列にマスター循環チラーに接続することができる。幾つかの実施形態において、異なる冷却温度の要求を適応するのに必要とされるような、１つ以上の追加のマスター循環チラーが提供され得る。
【００５１】
図５に示されるように、冷却装置（５００）は冷却された熱交換器、熱電冷却機、冷水熱交換器、あらゆる他の適切な冷却機、あるいはその組み合わせなどの冷蔵ユニット（５０１）を含むことができる。幾つかの実施形態において、冷却液出力（５０１ａ）は、冷蔵ユニット（５０１）から冷却された冷却液を出すことができる。さらなる冷蔵のために、冷却液は、その後、多数の装置を通ってルーティングされ、冷却液返還（５０１ｂ）に向かう前に、冷却を提供し、熱を除去する。本明細書では単一の冷蔵ユニット（５０１）をもって示されたが、幾つかの実施形態において、異なる温度で様々な構成部分を冷却するために、冷却装置（５００）は１つ以上の追加の独立した冷蔵ユニット（５０１）を含むことができることは、この開示の点から見て明白だろう。例えば、幾つかの実施形態において、処置中の患者に衝突する冷却気を冷やすために、第１冷却ユニットは約０℃からの約５℃の温度で冷却液を提供することができ、および、レーザ源（２０３）に害を与える可能性のある凝縮を発生させずに電磁気アレイ（２００）を冷却するために、第２冷蔵ユニットは約２０℃から約２５℃の温度で冷却液を提供し得る。幾つかの実施形態において、処理領域で処置要件にふさわしい治療上許容できる温度を保ち、かつシステム（１０）内の設備要件にふさわしい操作上許容できる温度を維持することが求められるように、冷蔵ユニット（５０１）および／または冷却システム（５００）に、操作条件および／またはセンサフィードバックによって冷却液温度の敏感な調節を許可するための温度調節特性が提供され得ることは、この開示の点からみて更に明らかだろう。
【００５２】
ここで図７を参照すると、冷蔵ユニット（５０１）はまたコンプレッサ（７０１）、コンデンサ（７０３）およびエバポレータ（図示せず）を含むことができる。冷蔵ユニット（５０１）は、ファン（７０７）を使用するプレナム（７０５）を通ってコンデンサ（７０３）の強制対流冷却を提供することができる。幾つかの実施形態において、空気質を改善するため、プレナム（７０５）およびファン（７０７）は粒子、バクテリアおよびウィルスを捕らえるためのＨＥＰＡフィルタ（７０９）を含むことができ、それによって、システム（１０）を取り巻く空気を介したそのような粒子、バクテリアおよびウィルスの循環を防ぐ。
【００５３】
幾つかの実施形態において、冷却液を、熱交換器（５０３）の冷却液注入口（５０３ａ）に方向づけ、熱交換器（５０３）を通って流し、そして冷却水出口（５０３ｂ）経由して熱交換器（５０３）から出す。熱交換器（５０３）は、ガス注入口（５０５ａ）を経由して熱交換器（５０３）を通り抜けて、ガス出口（５０５ｂ）を経由して出た空気または他のガスを冷やすためのあらゆる装置になり得る。熱交換器（５０３）に流れる空気またはガスを、  幾つかの実施形態において、処置中の患者の皮膚を冷却するのに使用することができる。例えば、幾つかの実施形態において、治療上許容できる温度の範囲を維持するために、空気またはガスは患者の皮膚を、処置中の皮膚のガス衝突冷却を介して１５から２０℃の範囲内の目標温度で冷やすことができる。
【００５４】
空気またはガスはポンプ（５０７）によって熱交換器（５０３）を通り抜けることができる。ポンプ（５０７）は、幾つかの実施形態において、ガスが熱交換器（５０３）を通り抜けてジェットインピンジメントノズル（図示せず）へ向かうことを可能にする、あらゆる適切な装置になり得る。幾つかの実施形態において、処理範囲（例えば患者の皮膚）で治療上許容できる温度を維持するために、ポンプ（５０７）は制御装置（４０３）と電子通信され、冷却気の流量、あるいは処理領域をモニタリングする１つ以上の温度センサからのフィードバックに反応するガスを調節するための制御装置から、命令を受け取る。
【００５５】
図２を参照して上述されるように、冷却装置（５００）は、幾つかの実施形態において、冷却液を、熱交換器（５０３）の冷却液出口（５０３ｂ）からマウント（２０１）の第１冷却液ポート（２０１ａ）までルーティングすることができる。冷却液はマウント（２０１）を冷やすことができ、それによって、マウント（２０１）に据え付けられたレーザ源（２０３）の冷却用のヒートシンクを提供する。図６でより多くの詳細が示されるように、幾つかの実施形態において、マウント（２０１）は、それに据え付けられたレーザ源（２０３）を冷却するための冷却板になり得る。幾つかの実施形態において、マウント（２０１）はさらに、それに据え付けたダイオードドライバ（４０９）の１つ以上を含み得る。幾つかの実施形態において、冷却板マウント（２０１）は、単一の冷却メカニズムで、ダイオードドライバ（４０９）およびレーザ源（２０３）の両方を有利に冷却することができる。マウント（２０１）冷却板は５つのレーザ源（２０３）と２つのダイオードドライバ（４０９）のサイズに合わせて本明細書に示されるが、マウント（２０１）が、あらゆる数またはレーザ源（２０３）およびダイオードドライバ（４０９）の組み合わせのサイズにも適応できることは、この開示の点から見て明白だろう。
【００５６】
図５を再び参照すると、冷却液は、第２冷却液ポート（２０１ｂ）を経由してマウント（２０１）から出ることができ、ＤＣ電源（４０７）のＤＣのベースプレート（５０９）の冷却液インプット（５０９ａ）にルーティングされ、電源（４０７）に冷却を提供する。冷却液はベースプレート（５０９）の冷却液アウトプット（５０９ｂ）経由してベースプレート（５０９）から出ることができ、冷蔵ユニット（５０１）の冷却液帰路（５０１ｂ）にルーティングされる。
【００５７】
図１を再び参照すると、共通の出力ケーブル（２０９）に結合された装置（９５０）の動き、制御および位置の調整を許可するための様々な実施形態に従って、システム（１０）はさらに、１つ以上の位置調整機器（９００）を含むことができる。概して、エステティックのＥＭＲ装置は、静止しているまたは手動で扱われる装置でＥＭＲエネルギーを適用する。したがって、比較的制御されず一定でない総エネルギーの適用量であるなら、静止している装置の場合、または手動で扱われる装置の場合には、熱エネルギーの適用は典型的に小さい固定された領域に制限される。従って、幾つかの実施形態において、位置調整機器（９００）は多軸、制御された動きに対するコンピュータ制御メカニズム、配向、および処理用ＥＭＲビームの放出に使用される装置（９５０）の位置の調整を提供することができる。幾つかの実施形態において、そのような位置調整機器（９００）は、あらかじめ定められた処理区域に渡る動きを提供することができる。幾つかの実施形態において、コンピュータ制御は、向上した制御および静止または手動操作システムに渡る動きを提供する。特に、コンピュータ制御は、処理中に広面積を横切って装置（９５０）を走査することを提供でき、目標処理領域に一定の加熱を提供する。さらに、処理パターンは処理に所望されるあらゆる形状に変更され得る。例えば、目標脂肪が存在しない既存の瘢痕組織または、へそ領域を回避するように、処理パターンをプログラム可能である。
【００５８】
処理される領域の対象範囲を提供し、装置（９５０）の適切な位置の調整を許可するため、位置調整機器（９００）に装置（９５０）の移動のためのあらゆる数の自由度が提供され得る。例えば、幾つかの場合において、処理過程はたった１つのＤＯＦのみを用いて、処理領域に渡って、装置（９５０）を前後に移動させることができる。図８に示されたように、実質的に平面の目標処理領域を有する幾つかの実施形態において、位置調整機器は、装置（８００）のＸ軸に沿った移動を提供するための第１レール（８０３）、および装置（８００）のＹ軸に沿った移動を提供するための第２レール（８０５）を有する２自由度の制御装置（８００）になり得る。
【００５９】
ここで図９を参照すると、幾つかの実施形態において、位置調整機器（９００）は６自由度のロボットアームになり得る。位置調整機器（９００）は、例えば、位置調整機器（９００）の回転の第１自由度を提供する回転可能な基礎（９０１）、を含むことができる。第２自由度を提供するために、回転可能な基礎（９０１）は、第１セグメント（９０３）に旋回可能に係合され得る。第３自由度を提供するために、第１セグメント（９０３）は、第２セグメント（９０５）に旋回可能に係合され得る。第４自由度を提供するために、第２セグメント（９０５）は、第３セグメント（９０７）に旋回可能に係合され得る。第５自由度を提供するために、第３セグメント（９０７）は、第４セグメント（９０９）に旋回可能に係合され得る。第４セグメント（９０９）は装置（９５０）を回転させるための回転可能な部分（９１１）を含む。概して、回転可能な基礎（９０１）はシステム（１０）のハウジング（１００）に係合され得、或いは目標処理領域の更に近くの位置の調整のための分離するプラットフォームへ取り付けられ得る。位置調整機器（９００）の６自由度は、目標とされた患者の体形に従って、所望の処理区域と一致するために有利に使用され得る。
【００６０】
そのような位置調整機器（９００）は、例えば、皮下脂肪中への熱の堆積は、例えば一定期間にわたって約４８℃から約４０℃等の治療上許容できる温度の範囲に達する、かつ維持することを必要とする皮下脂肪減少の場合等の、様々な処置で重要になりえる。特に、幾つかの実施形態において、低い温度は脂肪減少に効果がなく、高い温度は重い壊死、細胞損傷、および傷跡を引き起こし得る。従来の装置は、この温度範囲を維持するために、出力を変調するか、オンまたはオフにして入れなおす。しかしながら、広い処理領域をカバーし、かつ処理される組織の過熱を回避するため、脂肪の低い熱伝導性はＥＭＲ源をオン／オフして入れなおす時間を、処理中に装置を走査するか動かすことで対応させる。したがって、目標とされた患者の体形に従い、かつ所望の処理領域と一致するために、位置調整機器（９００）は、装置（９５０）を制御するようにプログラムされ得る。そのような実施形態中で、伝達された熱エネルギー、処理領域、エネルギーがオンで留まる時間、そして目標温度を維持するための熱源再実行時間は、処理プロトコル全体を決定するために使用可能な要素である。全域をカバーするような方法でエネルギー送達モジュールを走査することにより、患者の情報、センサ、およびフィードバックもすべて、一定の加熱を維持するために使用可能である。しかしながら、幾つかの実施形態において、システム（１０）は位置調整機器（９００）を含まないかもしれないし、装置（９５０）は代りにファイバ出力部（２０９）および／または手動操作と位置の調整のための冷却気源によってハウジングに接続可能であることは、この開示の点から見て明白だろう。幾つかの実施形態において、システム（１０）は、位置調整機器（９００）と使用するための装置（９５０）、および特定の処置に求められるような使用のために手動操作されたおよび配置された装置（９５０）、の両方を含むかもしれないことは、この開示の点から見て更に明白だろう。例えば、手動操作されたおよび配置された装置（９５０）は所望の場所で使用され得る。
【００６１】
さらに、センサ（１０００）および対応するセンサフィードバックは計算装置（１０７）によってリアルタイムでモニタリングされ、計算装置（１０７）が装置（９５０）の位置を変えるように位置調整機器（９００）に反応的に命令すること（例えば制御装置（４０３）を介して）を許可する。例えば、幾つかの実施形態において、皮膚温度が高すぎることをセンサ（１０００）が検知する場合、計算装置（１０７）は位置調整機器（９００）に、装置（９５０）を新しい位置に動かす、および／または一か所に留まる時間を減らし加熱を防ぐために処理中に走査を速めるよう命じることができる。幾つかの実施形態において、皮膚温度が低すぎることをセンサ（１０００）が検知する場合、計算装置（１０７）は位置調整機器（９００）に装置（９５０）と目標面の間の距離または間隔を増すように命じ、装置（９５０）を通って流れる空気を冷却する効果を弱める。まださらに、センサ（１０００）は処理される面に対する装置（９５０）の位置を検出するために含まれ得る。そのような実施形態では、センサ（１０００）のフィードバックに従って、位置調整機器（９００）は、処理される面に関する装置（９５０）の位置または方向を敏感に調節することができる。例えば、幾つかの実施形態において、位置調整機器（９００）は、装置（９５０）と処理される面との間の決められた区切りの高さを維持することができる。
【００６２】
皮下脂肪への送信が達せられた近赤外線でのＥＭＲ源用の数値シミュレーションモデル化は、２×２インチの領域にわたって１平方ｃｍ当たり１．５ワットに関して、１２ｍｍの深さの脂肪組織は、５０秒以内に４７℃に達することを示す。このサンプルモデルはさらに、３０℃で制御された皮膚の冷却を含む。シミュレーションは、冷却なしで、皮膚表面が５７℃以上の受け入れがたい温度に達することをしめす。この場合、モデルはさらに、脂肪組織の温度がどのように時間共に衰えるか示す。このモデルは、患者が１つの区域を５０秒で処理され、その後ロボット制御は続く５０秒間のためにエネルギー源を次の区域に移動させることを示す。これは多数の区域で繰り返され得、温度が高熱症アポトーシスに効果的な４０から４８℃の範囲の目標温度より大きく下がる前に最初の区域へ戻ることのみが必要とされる。追加のモデル研究は、第２処理持続時間は４８の℃の温度に達するのにより少ない時間を必要とし、必要とする再加熱時間の減少は漸近的であることを示す。
【００６３】
このモデルが定義された組織特性に基づいた例であることに留意することは重要である。しかしながら、滞留時間および再加熱サイクルは、例えば患者の皮膚のタイプ、患者の特性、波長、冷却特性などの根拠に基づいて、ケースバイケースで調節される必要があるかもしれない。さらに、処理は４８℃を目標とする必要がなく、代わりに処置特定の範囲内で低い温度を目標とされ得ることは、この開示の点から見て明白だろう。例えば、処理は４４℃などの低い目標温度で成功することができる。各場合では、患者のタイプおよび処理時間は目標温度の範囲に調節され得る。さらに、幾つかの実施形態において、高熱症アポトーシスの標的とされる範囲へ温度を戻すために再加熱を適用しながら、温度が短い時間で４０℃の最低有効温度以下に下がることが可能であることは、この開示の点から見て明白だろう。適切な入力パラメータを有するコンピュータ制御の適用は効率的で最適化された処理プロトコルを可能にする。
【００６４】
パターンは、温度の予想される減衰時間と等しい時間で最初の処理位置へエネルギー源が戻る際に、走査される場合がある。目標温度まで再加熱することは第２の通過においてより少ない時間を必要とするので、エネルギー源は第２の通過では、組織に渡ってより早いスピードで動かされる場合もある。パターンを走査するエネルギー源は、最小の時間で最大の領域を処理するために最適化される場合があり、患者の人体および組織パラメータに左右される。走査周波数および処理パターンは、測定された表面温度と熱流、および予測された皮下組織温度基づき、リアルタイムで修正される場合がある。エネルギー源の出力は、さらに処理を最適化するために、エネルギー源が動く間に変調される場合がある。
【００６５】
図１を再び参照すると、装置（９５０）は、患者の処理のために、幾つかの実施形態において、ビームコンバイナ（２０７）によって放出されファイバ出力部（２０９）を介して受け取られる組み合わされたビームを放出するように構成される場合がある。幾つかの実施形態において、１つ以上の装置（９５０）は、光ファイバ出力部ケーブル（２０９）の嵌め込み（２１１）と交換可能に係合され得る。概して、装置（９５０）はミラー、ビームを形成オプティックスまたはあらゆる他の適切な光学エレメントを含むことができる。例えば、ファイバ出力部は、患者上で直接放出される、或いはコリメート装置に嵌合され得る。同様の方法で、２つ以上のＥＭＲビームは、ミラー及びビームスプリッティングオプティックスを使用して、自由空間中で組み合わされ得る。患者においての所望のビーム形状またはパターンは、光学エレメントを用いて修正され得、それは、レンズ、レンズアレイ、回折性のビームシェーパーまたはあらゆる巧みに計画された放散装置になり得る。結果として生じるビーム形状は所望の処理パターンと一致することができる。幾つかの実施形態において、出力ビームは、所望のビーム直径および出力レベルと一致するように調節され得、そして照準を正され、分岐し、集中する。上で述べたように、１つ以上のレーザ源（２０３）は、同時に、交互にまたは順番に操作され得る。ファイバケーブルおよびルーティングオプティックスはパッシブデバイスなので、これは各レーザ源（２０３）への入力によって制御され得る。ＥＭＲビームスイッチおよびインターロックは、あるいは、安全性および規制適合の要求に応じて含まれ得る。幾つかの実施形態において、装置（９５０）はまた、位置調整機器（９００）によってポジショニングを調節するためのコンピュータ（１０７）へ、フィードバックを提供するために、距離センサを含むことができる。
【００６６】
さらに、位置調整機器（９００）に結合および／または据え付けていると図１に示され本明細書で述べられるが、装置（９５０）を手動ハンドピースとして使用してもよいことは、幾つかの実施形態において、この開示の点から見て明白だろう。そのような実施形態において、装置（９５０）の手動操作および位置の調整を許可するために、装置（９５０）はあらゆる位置調整機器に結合されない場合があり、代わりにファイバ出力部（２０９）および／または冷却気供給のみによってハウジング（１００）に結合され得る。
【００６７】
ここで図１７を参照すると、装置（１７００）は、患者の処理において施術範囲と接触せずに、ファイバ出力部（２０９）を介して受け取られたＥＭＲビームを放出するように構成される。特に、装置（１７００）は向けるように構成することができる、施術範囲上へのＥＭＲビームを処理領域へ方向づけ、処理領域へ冷却気流を方向づけ、処理領域に関連したセンサフィードバックを処理領域との接触なしで制御装置（４０３）に提供するように構成され得る。
【００６８】
その目的のために、装置（１７００）は、施術範囲に方向付けられる表面（１７０３）を有するハウジング（１７０１）を含むことができる。気流制御のために適切な形状を保持し、操作に関係するストレスと力に耐えるために、ハウジング（１７０１）を、幾つかの実施形態において、金属、プラスチック、透明プラスチック、ガラス、ポリカーボネート、ポリマー、サファイア、他の適切な材料、あるいはその組み合わせ等のあらゆる適切な材料から構築することができる。処理エリアに方向づけられるためにＥＭＲがハウジング（１７０１）を通って透過することを許可することが望ましい程度で、ハウジング（１７０１）の少なくとも一部、特に表面（１７０３）の一部を光学的に透明な材料から形成することは有利かもしれない。幾つかの実施形態において、ハウジング（１７０１）の全体が光学的に透明になり得る。図１７に示されるように、幾つかの実施形態において、表面（１７０３）が透明である一方、ハウジング（１７０１）は光学的に透明ではないかもしれない。しかしながら、概して、ＥＭＲビームに近似または一致する表面（１７０３）の部分は、ＥＭＲの透過の邪魔をしないように、概して、光学的に透明にすべきである。
【００６９】
透過するＥＭＲビームの送信を促進すべく、ハウジング（１７０１）はさらに、ファイバ出力部（２０９）と係合するためのＥＭＲポート（１７０７）を含み得、ＥＭＲビームを表面（１７０３）が含まれるハウジング（１７０１）を通して処理領域に方向づける。様々な実施形態に従って、ＥＭＲポート（１７０７）は、ファイバ出力部（２０９）と係合できる、例えば、ルアースリップ、ルアーロック、嵌め込み、ファイバカプラ、あるいは他の適切な嵌め込みなどの、いかなる嵌め込みも含むことができる。更に概して、ＥＭＲポート（１７０７）は、ファイバ出力部（２０９）によって生成されたＥＭＲビームがハウジングを通って処理領域に向けて方向づけるのに適切な、あらゆる構成も含むことができる。
【００７０】
幾つかの実施形態において、装置（１７００）は、特定のビーム形を生成する、光学を形成するビーム（図示せず）を含み得る。例えば、図１７に示されるように、ビーム形は拡大する正方形ビームであってもよい。しかし、ＥＭＲは拡大する正方形ビームとして図１７で示されるが、例えば、拡大した、収束した、直線の、均質の、平行した、円形、正方形、長方形、五角形、六角形、楕円形、任意の他の適切な形状、またはこれらの組み合わせを含む任意の他ビーム形が、様々な実施形態に従って使用され得ることは、この開示の点から見て明白だろう。
【００７１】
図１７に示されるように、装置（１７００）は、処理領域を冷やすための空気冷却機器としてさらに機能することができる。そのために、装置（１７００）は、ハウジング（１７０１）に気流を受け入れるための１つ以上の冷風口（１７０９）を含んでもよい。各冷風口（１７０９）は、例えば、ハウジング（１７０１）における開口部、ハウジングと流体連通されるチューブ、ルアーロックコネクタ、ルアースリップコネクタ、取付器具、他のあらゆる適切な設計、あるいはこれらの組み合わせを含む気流源に接続するための、任意の適切な設計、大きさ、または形状であってもよい。幾つかの実施形態において、冷風口（１７０９）は、ハウジング（１７０１）と一体に形成されてもよい。幾つかの実施形態において、冷風口（１７０９）は、ハウジング（１７０１）に取り付けられるか、固定されるか、あるいはそうでなければ流体連通される個別の要素であってもよい。
【００７２】
冷風口（１７０９）を介してハウジング（１７０１）に受け入れられる気流は、表面（１７０３）を通って処理領域の空気冷却のために処理領域へと向けられ得る。特に、表面（１７０３）は、処理領域上に気流を向けるために、表面（１７０３）上に形成される複数の開口部（１７０５）を含み得る。幾つかの実施形態において、開口部（１７０５）は、処理領域で向けられるＥＭＲへの干渉を回避しながら、治療上許容可能な温度範囲の処理領域を維持するのに適した温度、流量、および出口流速で処理領域上に気流を向けるように配置され得る。そのために、ＥＭＲが透過する表面（１７０３）（ＥＭＲ透過領域）の部分に一致するか、またはそのすぐそばの開口部（１７０５）は、光学的に透明な材料から形成され得る。他の開口部（１７０５）がＥＭＲ透過領域と一致しない限り、それらの開口部は透明である必要はない。
【００７３】
幾つかの実施形態において、複数の開口部（１７０５）は、ＥＭＲによって照らされた少なくとも処理領域にわたって、均一な冷却を実質的に提供することができるパターンに配置され得る。幾つかの実施形態において、実質的に均一な冷却は、処理領域より大きな領域にわたって広げることができる。そのような実施形態では、手動で、または処置のための目標温度範囲を維持するための適切なエネルギーを提供するようにプログラムされる制御装置（４０３）による自動制御によって、装置（１７００）が位置調整機器（９００）によって１つの処理領域から他の処理領域に動かされるときに、処理領域への前後の冷却が可能になる。
【００７４】
等流を促進し、所望の冷却速度を維持するために、使用中、開口部（１７０５）は、標的面から間隔を開けて実質的に均一な冷却を維持し、効率的な噴流衝撃冷却を促進することができる。例えば、幾つかの実施形態において、開口部（１７０５）の出口面と標的面の間の間隔は、０インチから１インチ以上の間で維持されることができる。幾つかの実施形態において、間隔は約０．５インチである。更に概して、治療上許容可能な温度範囲を維持するために、処理領域に実質的に均一な冷却を提供することができる限り開口部（１７０５）と標的面の間の任意の間隔が使用され得る。
【００７５】
装置（１７００）の間隔および位置調整は、一般に図９を参照して上述されるような位置調整機器（９００）の調整によって維持されることができる。いくつかの実施形態の中で、位置調整機器（９００）による装置（１７００）の位置調整を容易にするために、装置（１７００）は、装置（１７００）を位置調整機器（９００）（図１７に示されない）と動作可能に係合するための装置マウント（１７１５）を含んでもよい。例えば、図１７に示されるように、装置マウント（１７１５）は、位置調整機器（９００）と取り外し可能に係合するためのフランジを含み得る。しかし、位置調整機器（９００）との取り外し可能な係合を提供することができる任意の装置マウント（１７１５）が様々な実施形態に従って使用され得ることは、この開示の点から見て明白だろう
【００７６】
装置（１７００）は装置マウント（１７１５）を含み、位置調整機器（９００）に取り付けられるものとして図１７に示され、本明細書に記載されるが、幾つかの実施形態において、装置（１７００）が手動ハンドピースとして使用されることは、この開示の点から見て明白だろう。そのような実施形態では、装置（１７００）は装置マウント（１７１５）を含まなくてもよく、その代わり、装置（１７００）の手動操作および位置調整を可能にするために、ＥＭＲポートでのファイバ出力部（２０９）および／または冷風口（１７０９）での冷却空気供給のみによってハウジング（１００）に接続され得る。
【００７７】
特に、ハウジング（１７０１）に取り付けられ、処理領域に向けられる１つ以上の位置センサ（１７１１）からのリアルタイムフィードバックに反応する位置調整機器（９００）を操作するためのコンピューティング装置（１０７）および制御装置（４０３）のプログラム命令を提供することによって、間隔が維持され得る。位置センサ（１７１１）は装置（１７００）と目標領域との間の距離、目標領域に対する装置（１７００）の向き、および目標領域上の装置（１７００）の位置の１つ以上を検出するように構成され得る。位置センサ（１７１１）は、一般に、目標領域に対する装置（１７００）の位置の非接触検出を提供するための任意の適切なセンサであり得る。例えば、図１７に示されるように、位置センサ（１７１１）は赤外線位置センサであってもよい。
【００７８】
幾つかの実施形態において、処置要件を満たすのを補助するために、装置（１７００）は、処理領域の温度のリアルタイムモニタリングを提供するために１つ以上の温度センサ（１７１３）を含むことができる。特に、図１７に示されるように、温度センサ（１７１３）は、処理領域の非接触温度モニタリングを提供するために１つ以上の非接触高温計を含んでもよい。幾つかの実施形態において、温度センサ（１７１３）はコンピュータ（１０７）および／または制御装置（４０３）にリアルタイム温度フィードバックを提供するように構成され得る。その後、コンピュータ（１０７）および／または制御装置（４０３）は、目標領域を治療上許容可能な温度に維持するために、応答的にシステム（１０）の１つ以上の動作パラメータを調整することができる。例えば、幾つかの実施形態において、温度センサ（１７１３）によって提供される温度フィードバックに応答して、制御装置（４０３）は、処理領域と装置（１７００）との間の間隔を調整するように位置調整機器（９００）に命令すること、目標領域に対して放出されるＥＭＲビームの走査速度を調整するように位置調整機器（９００）に命令すること、冷却空気またはガスの流量を調整するようにポンプ（５０７）に命令すること、冷媒温度を調整し、それによって冷却空気またはガスの温度を調整するようにするように冷凍装置（５０１）に命令すること、放出されるＥＭＲビームの出力を調整し、レーザ源（２０３）の１つ以上を止めるか起動させるようにレーザ源（２０３）に命令すること、放出されるＥＭＲビームのビーム形を変更するためにビーム整形光学系を調整するように装置（１７００）に命令すること、またはその組み合わせのうち少なくとも１つを行うことができる。
【００７９】
さらに図１５を参照すると、装置（１５００）が例証され、そこでは共通の出力ケーブル（２０９）は、２本以上の出力ケーブル（１５０１ａ、１５０１ｂ）を提供するために、２本以上のビームを放出するためのビームスプリッタ（図示せず）によって分割され、各々は共通の出力ケーブル（２０９）によって伝送された全ＥＭＲ出力の一部のみを提供する。あるいは、幾つかの実施形態において、共通の出力ケーブル（２０９）を分割するのではなく、２本以上の出力ケーブル（１５０１ａ、１５０１ｂ）がそれぞれ単一のレーザ源（２０３）および／またはコンバイナ（２０７）に直接接続される、分割されない別々の出力ケーブルであってもよい。そのような実施形態では、アレイ（２００）は、エミッターケーブル（１５０１ａ、１５０１ｂ）の各々を介して同じ波長を有するビームを提供するために、各々が同じ波長を有する対応する数のレーザ源（２０３）を含んでもよい。有利に、そのような実施形態では、各エミッターケーブル（１５０１ａ、１５０１ｂ）は処理領域の処理に使用される全ＥＭＲ出力の一部を提供することのみを必要とされるため、より小さく、より低い出力の、それほど高価でないレーザ源（２０３）の使用を可能にする。
【００８０】
装置（１５００）は、ビームが照射された表面Ｓ上に別々に衝突し、および処理される表面下の組織Ｔにおいて表面Ｓの下で重複するような角度に出力ケーブル（１５０１ａ、１５０１ｂ）から放出されるビームを向けるように構成される。そのような実施形態は、一般に、表面Ｓ上の衝突点でより低い出力密度、および組織Ｔで重複領域でより高い出力密度を提供することができる。特に、重複領域の出力密度は、ＥＭＲ出力ケーブル（１５０１ａ、１５０１ｂ）の数、各ＥＭＲビームの出力、および重複領域の各ビームのビームサイズに比例して対応するだろう。したがって、組織Ｔの重複領域における表面Ｓで所望の出力密度を提供することが望まれる様々な実施形態に従って、任意の数のＥＭＲビームを生産する任意の数の出力ケーブルが使用され得ることは、この開示の点から見て明白だろう。例えば、いくつかの実施形態では４本のビームが提供されてもよく、ここで、２つの対の対向ビームが正方形の配置で構成され、ビームを傾斜角度で放出し、表面Ｓ上および組織Ｔ中に長方形パターンを投影することができる。幾つかの実施形態において、対向するが直交する位置からのさらに２本のＥＭＲビームを重複させるために、各ビームフットプリントは、処理平面上で同様の投影されたビームフットプリントを作成するために長方形であってもよい。幾つかの実施形態において、より一般に、各ＥＭＲビームのビーム形は、例えば、分岐した、平行にされた、収束した、円形、正方形、長方形、任意の他の適切な形、あるいはそれらの組み合わせであってもよい。
【００８１】
そのような構成は、例えば、アポトーシスを作成する脂肪組織の温熱療法のための処置中に、脂肪（脂肪性の）組織中の温度がおよそ４２℃から４７℃に達することが目的であるため有利である。脂肪組織が皮膚および表皮のおよそ２．８ｍｍ真下に配置されるこのプロセス中、活動的な神経末端を含む皮膚は、患者にとって暖かく、または熱くさえ感じる温度に達することもある。冷気あるいは低温冷却が典型的に提供されるが、それにも関わらず、より高いＥＭＲ出力密度は表面温度を不快な温度にまで上昇させる可能性がある。そのような場合、ＥＭＲ出力を皮膚の表面に別々に衝突する２本以上のビームに分割することは、局所的な皮膚加熱を減少することができる。他方では、すべての重複するビームの合計出力は、ＥＭＲビームが重複するところで集中する。最大出力が重複領域において達成されるため、より高い温度がより効率的なアポトーシスのために重複領域で達成され得る。反対に、皮膚、表皮、および真皮上のより低い出力密度は、それらの領域より低い温度を結果としてもたらす。幾つかの実施形態において、そのようなより低い出力密度は、処理中に患者の快適さおよび安全性を維持するために、皮膚冷却要件を減らすことができる。
【００８２】
さらに、出力ケーブル（１５０１ａ、１５０１ｂ）によって放出される、ビームのビーム衝突角度を設定または調整することによって、組織の処理の深さを制御することができる。特に、垂直に対する多数のビームの角度を減少させることによって、重複領域を組織内により深く形成し、および／または組織内でより深く伸長することができる。有利には、ビームを組織Ｔ内でより深く重複させることによって、処理中により多くの組織Ｔを処理することができる。さらに、より深い処理領域は、シングルビーム方式または浅い重複領域を有するシステムとは異なったより深い組織Ｔを標的とすることができる。したがって、例えば、約３度から約７５度を含む傾斜入射角の特定の選択または調整は、衝突表面Ｓを過熱することなく、所望の組織Ｔ内で所望の深さを標的にした高いＥＭＲ出力を提供することができる。
【００８３】
さらに図１６Ａを参照すると、幾つかの実施形態において、装置（１６００）は、処理を補助するために、ＥＭＲエネルギーを拡大し、均質化し、再び焦点を合わせるための１つ以上の光学素子を含み得る。特に、照射される表面Ｓに向けられる垂直ビームは小さな処理領域でＥＭＲ出力を凝縮することもあり、これは、温度管理を困難にし、標的組織Ｔを処理するためにさらなる動作および時間を必要とする。したがって、幾つかの実施形態において、装置（１６００）は、共通の出力部ケーブル（２０９）によって放出されたビームのサイズを拡大するために、ビームエクスパンダ（１６０１）を含み得る。特に、図１６のビームエクスパンダ（１６０１）は、回折光学素子（ＤＯＥ）ビームエクスパンダ（１６０１）として示される。しかし、任意のビームホモジナイザ、ビームエクスパンダ、またはそれらの組み合わせが様々な実施形態に従って使用され得ることは、この開示の点から見て明白だろう
【００８４】
標的組織Ｔが照射される表面Ｓの真下にある用途（例えば、脂肪組織のアポトーシスが望まれる場合）について、ビームエクスパンダ（１６０１）は、単独で標的組織Ｔ内でビーム出力を最も拡散させる。皮膚表面Ｓがより集中したビーム出力にさらされて標的組織Ｔより速く加熱するため、そのような構成は、照射された皮膚の熱管理をより困難にする。したがって、幾つかの実施形態において、装置（１６００）はさらに、拡大したビームを再び焦点を合わせるためにフレネルの対物レンズ（１６０３）を含み得る。図１６Ｂで示されるように、幾つかの実施形態において、ＤＯＥビームエクスパンダ（１６０１）とフレネルの対物レンズ（１６０３）の間の間隔の調整することで焦点を調整することができる。したがって、幾つかの実施形態において、皮膚表面Ｓが標的組織Ｔよりゆっくり熱くなるように、ビームは、標的組織Ｔ内でより狭く（より集中した）、かつ表面Ｓでより拡散するように調整することができる。さらに図１６Ｃを参照すると、幾つかの実施形態において、負のフレネルレンズ（１６０５）は、追加のビーム整形を可能にするために、ビームエクスパンダ（１６０１）とフレネルレンズ（１６０３）との間に配置されることができる。
【００８５】
図１を再び参照すると、いくつかの実施形態ではシステム（１０）は、処理領域の温度などの動作状態をモニターするために１つ以上のセンサ（１０００）を含むことができる。幾つかの実施形態において、センサ（１０００）は、所望される場合、コンピューティング装置（１０７）がシステム（１０）の１つ以上の構成要素に命令を提供し、フィードバックに応じてシステム（１０）の１つ以上の動作上の特性を変更するようにできるように、コンピューティング装置（１０７）にリアルタイムフィードバックを提供するように構成され得る。例えば、幾つかの実施形態において、位置調整機器（９００）は、滞留時間を減少または増加させるために標的領域をより速くまたはより遅く走査するように、標的面により接近またはより遠ざかるように装置（９５０）を動かすように、装置（９５０）の位置を変更するように、一時的に処理を中止するか終了するように、患者の冷却システムを通して冷却流量を増加または減少させるように命じられ得る。
【００８６】
幾つかの実施形態において、患者の温度データが治療上許容可能な温度範囲を維持するために必要とされる範囲で、皮下温度予測センサ（１０００）を提供することができる。背景として、先行技術では、様々な道具および方法で人体の中核または脂肪の温度を非侵襲的に測定することを試みてきた。一部はマイクロ波領域の黒体放出信号に依拠する。他のものは、推測された皮膚および組織の熱伝導率と組み合わせて温度センサを利用して、中核温度を予測する。これらの装置のタイプは、正常のエステティック処理装置に適用されるには大きすぎるか、複雑すぎるか、または高価すぎる。いくつかの装置は、温度センサと共に皮膚に加熱センサを付けて中核温度を予測した。他のアプローチでは、皮膚表面温度およびエネルギー入力をモニターした。
【００８７】
侵襲性の測温は可能ではあるが、関連する危険および完全に非侵襲性の温熱処理への要望により好まれない。ＭＲＩ（核磁気共鳴映像法）または高度な超音波装置などの精巧な器具でこれらの測定が可能であるが、多くの処理中に容易に使用されない高価かつ大きい装置を含んでいる。
【００８８】
患者の中核体脂肪温度を測定するための非侵襲性のセンサ（１０００）は、皮膚表面温度を測定するための温度センサ（１００１）および処理部位を出入りする熱流量を測定するために熱流束センサ（１００３）を含むことができる。幾つかの実施形態において、温度センサ（１００１）は、例えば、熱電対あるいは非接触高温計を含み得る。幾つかの実施形態において、熱流束センサ（１００３）は、例えば、サーモパイルセンサまたはゼーベック効果センサを含み得る。
【００８９】
その後、センサ（１０００）は、処理中に患者の体温および熱流束を継続的にモニターし、処理のためにコンピューティング装置（１０７）にそのデータを供給することができる。体温および熱流束のデータは、標的皮下脂肪の温度を推測するために、患者の肌タイプ、年齢、大きさ、体脂肪率などのようなユーザ入力データを有するアルゴリズムで合成され得る。その後、コンピュータシステム（１０７）は、センサ（１０００）フィードバックに応じて温度を管理するために、パルス長、ＥＭＲ源活性化、ＥＭＲ源出力、処理持続時間、冷却気流、位置調整機器の走査速度などの１つ以上の動作パラメータを調整することができる。センサ（１０００）が温度センサ（１００１）および熱流束センサ（１００３）の両方を含むように示されるが、幾つかの実施形態において、センサ（１０００）は温度センサ（１００１）だけ、または熱流束センサ（１００３）だけを含み得ることは、この開示の点から見て明白だろう。
【００９０】
幾つかの実施形態において、継続的な温度モニタリングは、経時的な温度およびＥＭＲ源の変調を予測するために、ＥＭＲ照明下の脂肪領域加熱の数の有限要素シミュレーションで開始されてもよい。特に、ＥＭＲ源の加熱は、時間依存性変調において適用され、浸透の深さとともに減少する。処置が進むにつれて、患者の皮膚温度および皮膚熱流束は、温度センサ（１００１）および熱流束センサ（１００３）を使用して測定される。その後、放出入力を能動的に制御し、かつ有効範囲で脂肪温度を維持するために、温度および熱流束のデータ、患者特有のデータ、および有限要素モデルは、全体的なアルゴリズムに入力され組み合わせられる。
【００９１】
冷却された領域における患者の皮膚温度および皮膚熱流束の測定されたパラメータは、いくつかの方法で測定されてもよい。皮膚表面温度測定（Ｓｋｉｎ  ｓｕｒｆａｃｅ  ｔｅｍｐｅｒａｔｕｒｅ）は、放出される領域での記録非接触光高温計、またはサーミスタ、あるいは熱電対パッケージによって行われる。温度は、ＥＭＲ源の照射前、ＥＭＲ源の照射中、およびＥＭＲ源の照射後にモニターされる。皮膚温度の変化率はアルゴリズムでモニターされる。皮膚熱流束は、能動的にモニターされた冷却流量と組み合わせた表面温度測定を使用して、非直接接触法で導き出される。
２つの測定が熱伝達アルゴリズムに含まれている場合、皮膚熱流束の計算が可能である。
あるいは、表面熱流束センサは熱流束データを提供することができる。
【００９２】
このアルゴリズムで使用される患者データは、肌タイプおよび色素、性別、年齢、大きさ、体重、ＢＭＩ、および可能な処理前の病歴および皮膚特性（ｓｋｉｎ  ｄｉｓｔｉｎｃｔｉｏｎｓ）を含んでいる。利用可能な場合、さらに詳細な組織データが入力されてもよい。ＭＲＩまたは超音波装置から集められた組織プロファイリングはさらに、組織モデルに組み入れられるために正確なパラメータを提供することができる。マイクロ波領域で黒体放出を使用する非侵襲性の中核体温測温器具などの他の技術が適用されでもよい。皮膚色素の特性評価などの患者要因は、予期されるＥＭＲ透過および吸収値を推測するために重要である。
【００９３】
アルゴリズムは、露出持続時間と同様に、フルエンスとして知られている処理領域に提供されたＥＭＲエネルギーを１平方センチメートル当たりのワット数で制御するために使用される。温熱脂肪の減少は、通常、領域を再加熱して有効な温度範囲を維持するために戻る、ビーム位置のオンオフの変調および可能な動作によって行われる。皮膚冷却は、快適さのレベル（例えば、３０℃）および最大の安全温度（例えば、４０℃）についての皮膚表面温度フィードバックに基づいて制御されると予想される。全処理期間は数分から３０分以上続くこともある。
【００９４】
さらに図１２を参照すると、単一のダイオードドライバを有する多機能のエステティックシステムの電子機器およびの制御のためのシステム（１２００）の概略図が提供される。特に、高圧ＡＤＣ（４１１）は、共有されるダイオードドライバモジュールからのいくつかのレーザ源（２０３）を操作することができる。この場合、同じ電圧／電流要件の多数のレーザ源（２０３）は、単一のダイオードドライバから操作される。幾つかの実施形態において、システム（１２００）は図４のシステム（４００）に実質的に類似する。しかし、図１２のシステム（１２００）は、ダイオードドライバ（１２０１）が選択的に所望のレーザ源（２０３）の１つを駆動することを可能にするために、単一のダイオードドライバ（１２０１）および、ダイオードドライバ（１２０１）とレーザ源（２０３）との間に置かれたスイッチング装置（１２０３）を含む。
【００９５】
幾つかの実施形態において、ダイオードドライバ（１２０１）は、図４に関して上述されたダイオードドライバ（４０９）に実質的に類似してもよい。幾つかの実施形態において、スイッチング装置（１２０３）は、各レーザ源（２０３）のダイオード負荷の間のドライバ（１２０１）を必要に応じて切り替えるように構成され得る。幾つかの実施形態において、スイッチング装置（１２０１）は、１つ以上の高い電流のメカニカルリレー、１つ以上のソリッドステートリレー（ＳＳＲ）、またはその両方を含んでもよい。
【００９６】
スイッチング装置（１２０３）は、ダイオードドライバの「ハイサイド」に置かれてもよいし、リレーは特定のレーザ源（２０３）を駆動するために一度に１つずつ選択されてもよい。そのリレーは、選択されたレーザ源（２０３）へと運ばれた電流を処理できなくてはならない。リレーまたはＳＳＲは、安全保護装置（緊急停電）としてレーザ源（２０３）に使用することもできる。しかし、図１２の構成では、多数のレーザ源（２０３）は、一度に１つを超えるリレーを選択することによって駆動することができない。そのような構成は、レーザ源（２０３）を互いと平行に、かつドライバ（１２０１）と並行に置く。ドライバ（１２０１）が十分な電流を流すことができても、２つのレーザ源（２０３）の間に受動的または能動的な負荷分散はない。ダイオードの１つが低抵抗を有するために、その装置は電流を「独占し」、過出力し、および使い果たし、第２のチャネルを同じことをさせる。そのような使い果たしが非常に速く（数秒で）起こるかもしれないので、一度にたった１つのダイオードを選択するようにスイッチング装置（１２０３）は構成されなければならない。さらに、ドライバがオフである場合、ダイオードチャネルの切り替えが生じなければならない。特に、ダイオードレーザ源（２０３）は、近距離で作動する（ダイオードバーについては約３ミリオーム）。したがって、活動的なドライバの出力が開負荷からダイオード負荷に切り替えられる場合、大きい過電流スパイクがダイオードを損傷または破壊する可能性が生じるだろう。
【００９７】
ＳＳＲとメカニカルリレーのどちらかに決める場合、ＳＳＲは、より速く、かつより信頼できる傾向があり、典型的には電気的に単離した制御線を必要としない。しかし、単離した入力ＳＳＲは、グラウンドループ問題についてあまり心配することなく、いくつかのダイオードに対して単一のドライバの使用を可能にする。さらに、故障した場合、単離したＳＳＲ入力は、敏感な制御回路構成にバッファーを提供するだろう。
【００９８】
さらに図１３を参照すると、幾つかの実施形態において、スイッチング装置は、多数のＥＭＲ源（１３０３）に電力を供給するための単一のダイオード・ドライバ・プリント回路（ＤＰＣ）（１３０１）を利用できることが示される。高電流能力ＦＥＴは、選択されたＥＭＲ源を起動させて、電力を供給するためのスイッチング装置として使用されてもよい。このダイアグラムは２つのドライバ（ＬＤ１およびＬＤ２）のみを示すが、同じ概念が多数のＥＭＲ源を駆動するために適用されてもよい。スイッチングＦＥＴへの制御入力はプロセッサ（１３０５）から送られる。この設計アプローチは、選択されたドライバのみを駆動し、それによってＥＭＲ源をアクティブにする指令信号を有するスイッチングリレーの必要性をなくす。
【００９９】
例示的実施形態
一実施形態では、皮下脂肪減少およびスキンタイトニングを同時に行なうことが望ましい場合もある。しかし、図１１のヒト組織プロファイルで示されるように、異なるＥＭＲ波長は、異なる予測される透過の深さを有する。特に、図１１は、各波長について、様々な深さにまで浸透するＥＭＲエネルギーの割合をパーセントで例証する。より一般には、脂肪は、皮膚の表面から典型的に５ｍｍ以上である。したがって、例えば、約１０６４ｎｍ（例えば、４００ｎｍ〜３０００ｎｍ、または９００ｎｍ〜１１００ｎｍ）の波長は、皮膚、表皮、および真皮を介する良好な透過ならびに脂肪細胞内でのエネルギーの蓄積を示すため、脂肪組織の温熱療法に選択されることができる。他方では、一般にスキンタイトニングは、コラーゲンは存在する表皮および真皮においてより高い吸収を示す他の波長を必要とする。したがって、例えば、約４００ｎｍ〜約３０００ｎｍ、または約１３００ｎｍ〜約１４００ｎｍの波長である。これらのＥＭＲビーム波長は、コラーゲンに多くのエネルギーを蓄積し、壊死を引き起こし、および最終的には新しいコラーゲン再生からスキンタイトニングをもたらす。
【０１００】
そのような実施形態では、本明細書に記載される出力の制御装置（４０３）および多機能エステティックシステム（１０）の制御電子回路（４００）は、皮下脂肪減少に適した波長を有するＥＭＲビームを生成するために第１のドライバ（４０９）／レーザ源（２０３）のペアを起動させながら、スキンタイトニングに適した波長を有するＥＭＲビームを生産する第２のドライバ（４０９）／レーザ源（２０３）のペアを同時に作動させることができる。幾つかの実施形態において、そのような処置はまた、ＲＦ（無線周波数）、ＭＷ（マイクロ波）、超音波、またはクライオ（寒冷療法）脂肪低減法を使用する処置などの他の脂肪減少技術と共に使用することができる。
【０１０１】
さらなる例において、幾つかの実施形態において、上述された方法は、例えば、限定されないが、上述されるような脂肪減少、身体のスキンタイトニング、顔のスキンタイトニング、スキンリサーフェーシング、スキンリモデリング、血管縮小または除去、顔の色素減少または除去、脱毛、ニキビ治療、傷の縮小および除去、乾癬治療、妊娠線除去、爪水虫治療、白斑治療、入れ墨除去、あるいはそれらの組み合わせを含む、任意の他の処置あるいは処置の組み合わせを実施するのに適した波長を放出するためのドライバ（４０９）／レーザ源（２０３）のペアを起動させるために使用することができる。
【０１０２】
本開示では、本明細書の特定の実施形態に関して記載してきたが、本開示の真の趣旨および範囲から逸脱することなく様々な変化がなされ、同等物が代わりに用いられてもよいことを当業者は理解するであろう。加えて、多くの修正が、本開示の真の趣旨および範囲から逸脱することなく、特定の状況、兆候、材料および組成物、工程の段階、または手順に適応させるためになされてもよい。そのような修正はすべて、本明細書に添付された請求項の範囲内で行われるように意図されている。
【図１】
2019535427.tif 000003
【図２】
2019535427.tif 000004
【図３】
2019535427.tif 000005
【図４】
2019535427.tif 000006
【図５】
2019535427.tif 000007
【図６】
2019535427.tif 000008
【図７】
2019535427.tif 000009
【図８】
2019535427.tif 000010
【図９】
2019535427.tif 000011
【図１０】
2019535427.tif 000012
【図１１】
2019535427.tif 000013
【図１２】
2019535427.tif 000014
【図１３】
2019535427.tif 000015
【図１４Ａ】
2019535427.tif 000016
【図１４Ｂ】
2019535427.tif 000017
【図１５】
2019535427.tif 000018
【図１６Ａ】
2019535427.tif 000019
【図１６Ｂ】
2019535427.tif 000020
【図１６Ｃ】
2019535427.tif 000021
【図１７】
2019535427.tif 000022
【国際調査報告】
2019535427.tif 000023